(57)【要約】【課題】  本発明は、第一流体と第二流体との熱交換効率を高めることのできるプレート式熱交換器を提供する。【解決手段】  本発明は、第一流路形成用シールラインにおける折返シール部の接続シール部は、端部領域内の第一開口の一部を取り囲むターンシール部と、主伝熱領域と端部領域との境界にあるストレートシール部の端部とに繋がるとともに、外方に向けて凸をなす円弧状に形成され、第二流路形成用シールラインにおける折返シール部の接続シール部は、一端と他端とを有する第一シール部であって、主伝熱領域と端部領域との境界にあるストレートシール部の端部に繋がって該ストレートシール部の延長線上で延びる第一シール部と、端部領域内の第二開口の一部を取り囲むターンシール部の他端と第一シール部の他端とに繋がる第二シール部とを含む。【選択図】図１
2017211157.tif 000002
【特許請求の範囲】
【請求項１】
第一方向に重ね合わされた複数の伝熱プレートであって、それぞれが第一面と該第一面の反対側の第二面とを有し、第一方向の一方側で隣り合う伝熱プレートの第一面に自身の第一面を対向させるとともに、第一方向の他方側で隣り合う伝熱プレートの第二面に自身の第二面を対向させた複数の伝熱プレートを備え、伝熱プレートの第一面及び第二面のそれぞれは、第一方向と直交する第二方向に延びる中心線と第一方向及び第二方向に直交する第三方向に延びる中心線との交点を含む主伝熱領域と、第三方向で主伝熱領域を挟む一対の端部領域であって、それぞれが主伝熱領域と連続する一対の端部領域とを含み、一対の端部領域のそれぞれは、第三方向に延びる中心線を境にした二つの領域のうちの一方の領域内に設けられた第一開口と、第三方向に延びる中心線を境にした二つの領域のうちの他方の領域内に設けられた第二開口とを備え、第一面同士を対向させた伝熱プレート間で一対の第二開口を躱して一対の第一開口を一括して包囲することで、第一流体を第三方向に流通させる第一流路を画定する無端環状の第一流路形成用シールラインであって、各端部領域内において、第二方向の流路幅が第一開口から主伝熱領域に向けて拡大するとともに、主伝熱領域において、第二方向の流路幅が最大となる第一流路を画定する第一流路形成用シールラインが設けられるとともに、第二面同士を対向させた伝熱プレート間で一対の第一開口を躱して一対の第二開口を一括して包囲することで、第二流体を第三方向に流通させる第二流路を画定する無端環状の第二流路形成用シールラインであって、各端部領域内において、第二方向の流路幅が第二開口から主伝熱領域に向けて拡大するとともに、主伝熱領域において、第二方向の流路幅が最大となる第二流路を画定する第二流路形成用シールラインが設けられ、第一流路形成用シールライン及び第二流路形成用シールラインは、それぞれが第三方向に延びて両端部が主伝熱領域と端部領域との境界に位置する一対のストレートシール部であって、第二方向に間隔をあけた一対のストレートシール部と、一対のストレートシール部の対応する端部に繋がる一対の折返シール部とを有し、第一流路形成用シールラインの折返シール部は、第一開口の外周の一部を取り囲むターンシール部と、該ターンシール部の両端のそれぞれから延びて対応するストレートシール部に繋がる一対の接続シール部とを含み、第二流路形成用シールラインの折返シール部は、第二開口の外周の一部を取り囲むターンシール部と、該ターンシール部の両端のそれぞれから延びて対応するストレートシール部に繋がる一対の接続シール部とを含み、第一流路形成用シールライン及び第二流路形成用シールラインにおける折返シール部の一対の接続シール部のうちの一方の接続シール部は、一方のストレートシール部の延長線上で延びてターンシール部の一端に繋がり、第一流路形成用シールラインにおける折返シール部の一対の接続シール部のうちの他方の接続シール部は、主伝熱領域と端部領域との境界にある他方のストレートシール部の端部とターンシール部の他端とに繋がるとともに、外方に向けて凸をなす円弧状に形成され、第二流路形成用シールラインにおける折返シール部の一対の接続シール部のうちの他方の接続シール部は、一端と他端とを有する第一シール部であって、主伝熱領域と端部領域との境界にある他方のストレートシール部の端部に一端が繋がって該ストレートシール部の延長線上で延びる第一シール部と、第一シール部の他端とターンシール部の他端とに繋がる第二シール部とを含むことを特徴とするプレート式熱交換器。
【請求項２】
第一流路形成用シールラインの他方のストレートシール部は、第一流路形成用シールラインにおける折返シール部の他方の接続シール部に対して接線方向に延びる請求項１に記載のプレート式熱交換器。
【請求項３】
第二シール部は、第二方向に延びる中心線と交差する方向に延びる第一延出シール部であって、ターンシール部の他端に繋がる第一延出シール部と、第一シール部の他端から延出した第二延出シール部であって、第二方向に延びる中心線と交差する方向に延びる第二延出シール部と、第一延出シール部と第二延出シール部とに繋がる連結シール部とを含み、第二延出シール部の第二方向に延びる中心線に対する傾斜角度は、第一延出シール部の第二方向に延びる中心線に対する傾斜角度よりも小さく設定される請求項１又は２に記載のプレート式熱交換器。
【請求項４】
第二延出シール部は、第一開口の近傍に設けられる請求項３に記載のプレート式熱交換器。
【発明の詳細な説明】
【技術分野】
【０００１】
本発明は、第一流体を流通させる第一流路と第二流体を流通させる第二流路とを区画し、且つ、第一流路内の第一流体と第二流路内の第二流体とを熱交換させる伝熱プレートを備えたプレート式熱交換器に関する。
【背景技術】
【０００２】
従来から、プレート式熱交換器は、第一方向に重ね合わされた複数の伝熱プレートを備える。複数の伝熱プレートのそれぞれは、第一面と該第一面の反対側の第二面とを有する。複数の伝熱プレートのそれぞれは、第一方向の一方側で隣り合う伝熱プレートの第一面に自身の第一面を対向させるとともに、第一方向の他方側で隣り合う伝熱プレートの第二面に自身の第二面を対向させる。
【０００３】
伝熱プレートの第一面及び第二面のそれぞれは、第一方向と直交する第二方向に延びる中心線（以下、横中心線という）と第一方向及び第二方向と直交する第三方向に延びる中心線（以下、縦中心線という）との交点を含む主伝熱領域と、第三方向で主伝熱領域を挟む一対の端部領域であって、それぞれが主伝熱領域と連続する一対の端部領域とを含む。一対の端部領域のそれぞれは、縦中心線を境にした二つの領域のうちの一方の領域内に設けられた第一開口と、縦中心線を境にした二つの領域のうちの他方の領域内に設けられた第二開口とを備える。
【０００４】
これを前提に、プレート式熱交換器は、隣り合う二つの伝熱プレートの第一面間において、一対の第二開口を躱して一対の第一開口を一括して包囲することで、第一流体を第三方向に流通させる第一流路を画定する無端環状の第一流路形成用シールラインを備える。また、プレート式熱交換器は、隣り合う二つの伝熱プレートの第二面間において、一対の第一開口を躱して一対の第二開口を一括して包囲することで、第二流体を第三方向に流通させる第二流路を画定する無端環状の第二流路形成用シールラインを備える。
【０００５】
第一流路形成用シールライン及び第二流路形成用シールラインは、例えば、隣り合う伝熱プレート間に介装された無端環状のガスケットにより構成される。
【０００６】
具体的には、第一流路形成用シールライン及び第二流路形成用シールラインのそれぞれは、それぞれが第三方向に延び且つ主伝熱領域と端部領域との境界に両端を位置させる一対のストレートシール部であって、第二方向に間隔をあけた一対のストレートシール部と、一対のストレートシール部の対応する端部に繋がる一対の折返シール部とを有する。
【０００７】
折返シール部は、対応する開口（第一開口又は第二開口）を基準にＵターンした形状に形成される。具体的には、折返シール部は、開口（第一流路形成用シールラインにおいては第一開口、第二流路形成用シールラインにおいては第二開口）の外周の一部を取り囲むターンシール部と、ターンシール部の両端のそれぞれから延びる一対の接続シール部であって、それぞれが対応するストレートシール部に繋がる一対の接続シール部とを含む。
【０００８】
折返シール部における一方の接続シール部は、一方のストレートシール部の延長線上に延び、ターンシール部の一端に繋がる。具体的には、第一流路形成用シールラインの折返シール部の一方の接続シール部は、伝熱プレートの第一面上において、第二方向の一端側にある一方のストレートシール部の延長線上に延び、ターンシール部の一端に繋がる。これに対し、第二流路形成用シールラインの折返シール部の一方の接続シール部は、伝熱プレートの第二面上において、第二方向の他端側にある一方のストレートシール部の延長線上に延び、ターンシール部の一端に繋がる。
【０００９】
そして、折返シール部における他方の接続シール部は、他方のストレートシール部の端部（主伝熱領域と端部領域との境界にある端部）から延び、ターンシール部の他端に繋がる。具体的には、第一流路形成用シールラインの折返シール部の他方の接続シール部は、伝熱プレートの第一面上において、第二方向の他端側にある他方のストレートシール部の端部（主伝熱領域と端部領域との境界にある端部）から延び、ターンシール部の他端に繋がる。これに対し、第二流路形成用シールラインの折返シール部の他方の接続シール部は、伝熱プレートの第二面上において、第二方向の一端側にある他方のストレートシール部の端部（主伝熱領域と端部領域との境界にある端部）から延び、ターンシール部の他端に繋がる。
【００１０】
これにより、この種のプレート式熱交換器においては、隣り合う二つの伝熱プレートの第一面間に介装された第一流路形成用シールラインにより、各端部領域内において、第二方向の流路幅が第一開口から主伝熱領域に向けて拡大し、且つ、主伝熱領域において、第二方向の流路幅が最大となる第一流路が画定される。また、隣り合う二つの伝熱プレートの第二面間に介装された第二流路形成用シールラインにより、各端部領域内において、第二方向の流路幅が第二開口から主伝熱領域に向けて拡大し、且つ、主伝熱領域において、第二方向の流路幅が最大となる第二流路が画定される。
【００１１】
そして、第一流路形成用シールライン及び第二流路形成用シールラインは、伝熱プレートにおける第三方向に延びる中心線を基準に対称的に配置され、第一面上において第一流路形成用シールラインによって包囲された領域のうちの少なくとも主伝熱領域と第二面上において第二流路形成用シールラインによって包囲された領域のうちの少なくとも主伝熱領域とを重複させている。
【００１２】
これにより、この種のプレート式熱交換器において、単一の伝熱プレートが第一流路と第二流路とを区画し、第一流路を流通する第一流体と第二流路を流通する第二流体とが伝熱プレートの少なくとも主伝熱領域を介して熱交換する（例えば、特許文献１参照）。
【先行技術文献】
【特許文献】
【００１３】
【特許文献１】特開２０１２−１２２６８８号公報
【発明の概要】
【発明が解決しようとする課題】
【００１４】
ところで、この種のプレート式熱交換器においては、伝熱プレートの主伝熱領域が第一流体と第二流体との熱交換に大きく寄与する。そのため、プレート式熱交換器において、主伝熱領域と端部領域との境界が第一開口及び第二開口の近傍に設定され、伝熱プレートにおける主伝熱領域の占有率が高められることがある。
【００１５】
この場合、第一流路形成用シールライン及び第二流路形成用シールラインのそれぞれの他方の接続シール部は、一端と他端とを有する第一延出シール部であって、横中心線に対して交差する方向に延び、一端がターンシール部の他端に繋がる第一延出シール部と、一端及び他端を有し、一端が他方のストレートシール部の端部に繋がるとともに他端が第一延出シール部の他端に直接的又は間接的に繋がる第二延出シール部であって、開口（第一流路形成用シールラインにおいては第二開口、第二流路形成用シールラインにおいては第一開口）の近傍を通り、横中心線に対する傾斜角度が第一延出シール部よりも小さく設定された第二延出シール部とを含む。
【００１６】
このように、第一流路形成用シールライン及び第二流路形成用シールのそれぞれにおいて、第三方向に真っ直ぐに延びるストレートシール部に対して、横中心線に対する傾斜角度が第一延出シール部よりも小さく設定された第二延出シール部が繋がるため、第一流路形成用シールラインによって画定される第一流路、及び第二流路形成用シールラインによって画定される第二流路のそれぞれにおいて、ストレートシール部と第二延出シール部とによって画された奥まった領域（空間）が形成される。すなわち、第一流路及び第二流路のそれぞれにおいて、流体の主たる流通経路から外れた領域（空間）が形成される。
【００１７】
そのため、第一流路において、第一流体が主たる流通経路から外れた領域（空間）に滞留し、第二流路において、第二流体が主たる流通経路から外れた領域（空間）に滞留する。その結果、主伝熱領域の占有率を高めても、第一流路及び第二流路のそれぞれにおいて、熱交換に寄与する有効領域が少なくなり、熱交換効率が悪くなってしまう。
【００１８】
この点を考慮し、主伝熱領域と端部領域との境界が第一開口及び第二開口から離れた位置に設定されることで、第一流路形成用シールライン及び第二流路形成用シールラインのそれぞれにおける一対の接続シール部が連続的（例えば、真っ直ぐ）に形成されることがある。
【００１９】
しかしながら、伝熱領域と端部領域との境界が第一開口及び第二開口から離れた位置に設定されると、端部領域が熱交換に大きく寄与する主伝熱領域を浸食してしまう。
【００２０】
また、第一流路形成用シールライン及び第二流路形成用シールラインのそれぞれにおける一対の接続シール部が連続的（例えば、真っ直ぐ）に形成されると、端部領域において、第一流路と第二流路との重ならない領域が多くなってしまう。
【００２１】
そのため、伝熱プレートにおける熱交換に寄与する有効領域が少なくなり、熱交換効率が悪くなってしまう。
【００２２】
そこで、本発明は、第一流体と第二流体との熱交換効率を高めることのできるプレート式熱交換器を提供することを課題とする。
【課題を解決するための手段】
【００２３】
本発明に係るプレート式熱交換器は、第一方向に重ね合わされた複数の伝熱プレートであって、それぞれが第一面と該第一面の反対側の第二面とを有し、第一方向の一方側で隣り合う伝熱プレートの第一面に自身の第一面を対向させるとともに、第一方向の他方側で隣り合う伝熱プレートの第二面に自身の第二面を対向させた複数の伝熱プレートを備え、伝熱プレートの第一面及び第二面のそれぞれは、第一方向と直交する第二方向に延びる中心線と第一方向及び第二方向に直交する第三方向に延びる中心線との交点を含む主伝熱領域と、第三方向で主伝熱領域を挟む一対の端部領域であって、それぞれが主伝熱領域と連続する一対の端部領域とを含み、一対の端部領域のそれぞれは、第三方向に延びる中心線を境にした二つの領域のうちの一方の領域内に設けられた第一開口と、第三方向に延びる中心線を境にした二つの領域のうちの他方の領域内に設けられた第二開口とを備え、第一面同士を対向させた伝熱プレート間で一対の第二開口を躱して一対の第一開口を一括して包囲することで、第一流体を第三方向に流通させる第一流路を画定する無端環状の第一流路形成用シールラインであって、各端部領域内において、第二方向の流路幅が第一開口から主伝熱領域に向けて拡大するとともに、主伝熱領域において、第二方向の流路幅が最大となる第一流路を画定する第一流路形成用シールラインが設けられるとともに、第二面同士を対向させた伝熱プレート間で一対の第一開口を躱して一対の第二開口を一括して包囲することで、第二流体を第三方向に流通させる第二流路を画定する無端環状の第二流路形成用シールラインであって、各端部領域内において、第二方向の流路幅が第二開口から主伝熱領域に向けて拡大するとともに、主伝熱領域において、第二方向の流路幅が最大となる第二流路を画定する第二流路形成用シールラインが設けられ、第一流路形成用シールライン及び第二流路形成用シールラインは、それぞれが第三方向に延びて両端部が主伝熱領域と端部領域との境界に位置する一対のストレートシール部であって、第二方向に間隔をあけた一対のストレートシール部と、一対のストレートシール部の対応する端部に繋がる一対の折返シール部とを有し、第一流路形成用シールラインの折返シール部は、第一開口の外周の一部を取り囲むターンシール部と、該ターンシール部の両端のそれぞれから延びて対応するストレートシール部に繋がる一対の接続シール部とを含み、第二流路形成用シールラインの折返シール部は、第二開口の外周の一部を取り囲むターンシール部と、該ターンシール部の両端のそれぞれから延びて対応するストレートシール部に繋がる一対の接続シール部とを含み、第一流路形成用シールライン及び第二流路形成用シールラインにおける折返シール部の一対の接続シール部のうちの一方の接続シール部は、一方のストレートシール部の延長線上で延びてターンシール部の一端に繋がり、第一流路形成用シールラインにおける折返シール部の一対の接続シール部のうちの他方の接続シール部は、主伝熱領域と端部領域との境界にある他方のストレートシール部の端部とターンシール部の他端とに繋がるとともに、外方に向けて凸をなす円弧状に形成され、第二流路形成用シールラインにおける折返シール部の一対の接続シール部のうちの他方の接続シール部は、一端と他端とを有する第一シール部であって、主伝熱領域と端部領域との境界にある他方のストレートシール部の端部に一端が繋がって該ストレートシール部の延長線上で延びる第一シール部と、第一シール部の他端とターンシール部の他端とに繋がる第二シール部とを含むことを特徴とする。
【００２４】
上記構成によれば、隣り合う伝熱プレートの第一面間が第一流路形成用シールラインによって封止され、無端環状の第一流路形成用シールラインに包囲された領域が第一流路となる。第一流路形成用シールラインは、一対の端部領域のそれぞれにある第一開口を一括して包囲しているため、第一流路は第一開口のみで開放する。すなわち、第一流体が一方の第一開口から第一流路に流入し、該第一流路で第三方向に流通した後に他方の第一開口から流出する。
【００２５】
そして、第一流路を画定する第一流路形成用シールラインにおいて、一対の接続シール部のうちの一方の接続シール部が一方のストレートシール部の延長線上で延びてターンシール部の一端に繋がり、一対の接続シール部のうちの他方の接続シール部が主伝熱領域と端部領域との境界にある他方のストレートシール部の端部とターンシール部の他端とに繋がるとともに、外方に向けて凸をなす円弧状に形成される。これにより、端部領域にある第一流路の一部（主伝熱領域に向けて拡大する領域）が第一流体の主たる流通経路と対応する。すなわち、第一流路に奥まった領域が形成されない。
【００２６】
従って、一方の端部領域においては、第一流体が第二方向に広がりつつ主伝熱領域に向けて流通し、他方の端部領域においては、主伝熱領域から第一開口に向けて収束しつつ流通する。これにより、第一流体が第一流路内で滞留することが抑制される。
【００２７】
そして、隣り合う伝熱プレートの第二面間が第二流路形成用シールラインによって封止され、無端環状の第二流路形成用シールラインに包囲された領域が第二流路となる。第二流路形成用シールラインは、一対の端部領域のそれぞれにある第二開口を一括して包囲しているため、第二流路は第二開口のみで開放する。すなわち、第二流体が一方の第二開口から第二流路に流入し、該第二流路で第三方向に流通した後に他方の第二開口から流出する。
【００２８】
そして、第二流路を画定する第二流路形成用シールラインにおいて、折返シール部の一対の接続シール部のうちの他方の接続シール部は、一端と他端とを有する第一シール部であって、主伝熱領域と端部領域との境界にある他方のストレートシール部の端部に一端が繋がって該ストレートシール部の延長線上で延びる第一シール部と、第一シール部の他端とターンシール部の他端とに繋がる第二シール部とを含むため、第二流路形成用シールラインの折返シール部は、第一流路形成用シールラインの折返シール部よりも開口（第一開口、第二開口）側で、第二流路における第二方向の流路幅を最大にする。これにより、端部領域にある第二流路の一部には奥まった領域（第二流体が滞留する領域）が形成されることになるが、端部領域において、第一流路と第二流路との重なる領域（熱交換に寄与する領域）を多くなり、また、第一流路に奥まった領域（第一流体が滞留する領域）がないため、熱交換効率が高まる。
【００２９】
本発明の一態様として、第一流路形成用シールラインの他方のストレートシール部は、第一流路形成用シールラインにおける折返シール部の他方の接続シール部に対して接線方向に延びてもよい。このようにすれば、第一流路の外縁（輪郭）が滑らかになり、第一流体の流通が良好になる。
【００３０】
本発明の他態様として、第二シール部は、第二方向に延びる中心線と交差する方向に延びる第一延出シール部であって、ターンシール部の他端に繋がる第一延出シール部と、第一シール部の他端から延出した第二延出シール部であって、第二方向に延びる中心線と交差する方向に延びる第二延出シール部と、第一延出シール部と第二延出シール部とに繋がる連結シール部とを含み、第二延出シール部の第二方向に延びる中心線に対する傾斜角度は、第一延出シール部の第二方向に延びる中心線に対する傾斜角度よりも小さく設定されてもよい。このようにすれば、第一流路と第二流路との重なる領域（熱交換に寄与する領域）を多くすることができる。
【００３１】
この場合、第二延出シール部は、第一開口の近傍に設けられることが好ましい。このようにすれば、第一流路と第二流路との重なる領域（熱交換に寄与する領域）が第一開口近傍に至るため、端部領域における熱交換に寄与する領域をより多くすることができる。
【発明の効果】
【００３２】
以上のように、本発明は、第一流体と第二流体との熱交換効率を高めることができるという優れた効果を奏し得る。
【図面の簡単な説明】
【００３３】
【図１】図１は、本発明の一実施形態に係るプレート式熱交換器の概略全体斜視図である。
【図２】図２は、同実施形態に係るプレート式熱交換器の概略分解斜視図である。
【図３】図３は、同実施形態に係るプレート式熱交換器における伝熱プレートの第一面側から見た図である。
【図４】図４は、同実施形態に係るプレート式熱交換器における伝熱プレートの第二面側から見た図である。
【図５】図５は、図３におけるＶ部の拡大図である。
【図６】図６は、同実施形態に係る伝熱プレートの部分拡大断面図であって、第一面上の凸条における二つの低部位を有する部分（第一直線部、第二直線部、短尺凸条）を長手方向に沿って切断した断面図である。
【図７】図７は、同実施形態に係る伝熱プレートの部分拡大断面図であって、第一面上の凸条における一つの低部位を有する部分（第一直線部、第二直線部、短尺凸条）を長手方向に沿って切断した断面図である。
【図８】図８は、同実施形態に係る伝熱プレートの部分拡大断面図であって、第一面上の凸条である第一長尺凸条の端部傾斜部を長手方向と直交する方向に沿って切断した断面図である。
【図９】図９は、同実施形態に係る伝熱プレートの部分拡大断面図であって、第一面上の凸条である第一長尺凸条の接続傾斜部を長手方向と直交する方向に沿って切断した断面図である。
【図１０】図１０は、図４におけるＸ部の拡大図である。
【図１１】図１１は、同実施形態に係る伝熱プレートの部分拡大断面図であって、第二面上の凸条における二つの低部位を有する部分（直線部、並列部）を長手方向に沿って切断した断面図である。
【図１２】図１２は、同実施形態に係る伝熱プレートの部分拡大断面図であって、第二面上の凸条における一つの低部位を有する部分（直線部、並列部）を長手方向に沿って切断した断面図である。
【図１３】図１３は、同実施形態に係るプレート式熱交換器におけるガスケット（第一流路形成用ガスケット、第二環状ガスケット）及び該ガスケットによって形成される流路（第一流路、第一流入路、第一流出路）を説明するための説明図である。
【図１４】図１４は、同実施形態に係るプレート式熱交換器におけるガスケット（第二流路形成用ガスケット、第一環状ガスケット）及び該ガスケットによって形成される流路（第二流路、第二流入路、第二流出路）を説明するための説明図である。
【図１５】図１５は、同実施形態に係るプレート式熱交換器の部分断面図であって、伝熱プレートの主伝熱領域の一部を第三方向に沿って切断した部分断面図である。
【図１６】図１６は、同実施形態に係るプレート式熱交換器における伝熱プレートの端部傾斜部付近の部分拡大図であって、隣り合う伝熱プレートの一方の伝熱プレートを仮想線で示し、隣り合う伝熱プレートの端部傾斜部の重なり状態を説明するための部分拡大図である。
【図１７】図１７は、同実施形態に係るプレート式熱交換器における伝熱プレートの接続傾斜部付近の部分拡大図であって、隣り合う伝熱プレートの一方の伝熱プレートを仮想線で示し、隣り合う伝熱プレートの接続傾斜部の重なり状態を説明するための部分拡大図である。
【図１８】図１８は、同実施形態に係るプレート式熱交換器における伝熱プレートの端部傾斜部及び接続傾斜部を含む部分概略拡大図であって、第一流路に第一流体を流通させるとともに、第二流路に第二流体を流通させた状態の部分概略拡大図である。
【図１９】図１９は、同実施形態に係るプレート式熱交換器における伝熱プレートの端部傾斜部及び接続傾斜部を含む部分概略拡大図であって、第一流路内の流体圧が作用していない状態、或いは第一流路内の流体圧が第二流路の流体圧よりも小さい状態の部分概略拡大図である。
【発明を実施するための形態】
【００３４】
以下、本発明の一実施形態に係るプレート式熱交換器について、添付図面を参照しつつ説明する。
【００３５】
図１及び図２に示す如く、プレート式熱交換器１は、第一方向に重ね合わされた複数の伝熱プレート２，…を備える。具体的には、本実施形態に係るプレート式熱交換器１は、図２に示す如く、第一方向に重ね合わされた複数の伝熱プレート２，…と、第一方向で隣り合う伝熱プレート２，間に介装され、伝熱プレート２，…間を封止する複数のガスケット３，４，５，６とを備える。
【００３６】
本実施形態に係るプレート式熱交換器１は、図１及び図２に示す如く、第一方向に重ね合わされた複数の伝熱プレート２，…を挟み込む一対のエンドプレート７，７と、複数の伝熱プレート２，…を挟み込んだ一対のエンドプレート７，７を締結する締結部材８…（図１参照）とを更に備える。
【００３７】
伝熱プレート２，…は、図３及び図４に示す如く、第一面Ｓ１と、第一面Ｓ１の反対側の第二面Ｓ２とを有する。伝熱プレート２，…は、金属プレートをプレス成型して作製される。これに伴い、第一面Ｓ１上の形態と第二面Ｓ２の形態とが対応関係にある。
【００３８】
伝熱プレート２，…の第一面Ｓ１及び第二面Ｓ２のそれぞれは、第一方向と直交する第二方向に延びる中心線（以下、横中心線という）ＣＬ１と第一方向及び第二方向と直交する第三方向に延びる中心線（以下、縦中心線という）ＣＬ２との交点を含む主伝熱領域Ａ１と、第三方向で主伝熱領域Ａ１を挟む一対の端部領域Ａ２，Ａ２とを含む。
【００３９】
本実施形態において、伝熱プレート２，…は、正面視長方形状である。すなわち、伝熱プレート２，…の外形は、それぞれが第二方向に延び且つ第三方向に間隔をあけた一対の短辺ＳＥと、それぞれが第三方向に延び且つ第二方向に間隔をあけた一対の長辺ＬＥとにより画定される。
【００４０】
主伝熱領域Ａ１は、伝熱プレート２，…の外形を画定する一対の長辺ＬＥを第二方向の両端縁とする正面視矩形状の領域である。一対の端部領域Ａ２，Ａ２のそれぞれは、主伝熱領域Ａ１と連続する。一対の端部領域Ａ２，Ａ２のそれぞれは、伝熱プレート２，…の外形を画定する一対の長辺ＬＥを第二方向の両端縁とし且つ伝熱プレート２，…の外形を画定する短辺ＳＥを第三方向の端縁とする正面視矩形状の領域である。
【００４１】
第一面Ｓ１の主伝熱領域Ａ１と第二面Ｓ２の主伝熱領域Ａ１とは、互いに表裏の関係にある。また、第一面Ｓ１の一方の端部領域Ａ２と第二面Ｓ２の一方の端部領域Ａ２とは、互いに表裏の関係にあり、第一面Ｓ１の他方の端部領域Ａ２と第二面Ｓ２の他方の端部領域Ａ２とは、互いに表裏の関係にある。
【００４２】
一対の端部領域Ａ２，Ａ２のそれぞれは、第一開口２０と、第一開口２０に対して第二方向で間隔をあけて設けられた第二開口２１とを有する。本実施形態において、一対の端部領域Ａ２，Ａ２のそれぞれは、縦中心線ＣＬ２を境にした二つの領域のうちの一方の領域に設けられた第一開口２０と、縦中心線ＣＬ２を境にした二つの領域のうちの他方の領域に設けられた第二開口２１とを有する。ここで、一方の領域とは、伝熱プレート２の第二方向における一端側の領域であり、他方の領域とは、伝熱プレート２の第二方向における他端側の領域である。従って、一対の端部領域Ａ２，Ａ２のそれぞれの第一開口２０は、何れも伝熱プレート２の第二方向の一端側（一方の長辺ＬＥ側）に位置し、一対の端部領域Ａ２，Ａ２のそれぞれの第二開口２１は、何れも伝熱プレート２の第二方向の他端側（他方の長辺ＬＥ側）に位置している。本実施形態において、第一開口２０及び第二開口２１は、円形である。
【００４３】
伝熱プレート２，…の第一面Ｓ１及び第二面Ｓ２のそれぞれは、ガスケット３，４，５，６を配置するガスケット配置部２２，２３，２４，２５を有する。
【００４４】
本実施形態において、伝熱プレート２，…は、第一流体を流通させる第一流路の形態に即して設けられた第一流路形成用ガスケット配置部２２と、第二開口２１を包囲する第二環状ガスケット配置部２３と、第二流体を流通させる第二流路の形態に即して設けられた第二流路形成用ガスケット配置部２４と、第一開口２０を包囲する第一環状ガスケット配置部２５とを有する。
【００４５】
具体的には、伝熱プレート２，…の第一面Ｓ１は、図３に示す如く、ガスケット配置部２２，２３として、一対の第二開口２１を躱した状態で、一対の第一開口２０を一括して包囲する第一流路形成用ガスケット配置部２２と、一対の第二開口２１のそれぞれを包囲する一対の第二環状ガスケット配置部２３とを有する。
【００４６】
これに対し、伝熱プレート２，…の第二面Ｓ２は、図４に示す如く、ガスケット配置部２４，２５として、一対の第一開口２０を躱した状態で、一対の第二開口２１を一括して包囲する第二流路形成用ガスケット配置部２４と、一対の第一開口２０のそれぞれを包囲する一対の第一環状ガスケット配置部２５とを有する。
【００４７】
図３に示す如く、第一流路形成用ガスケット配置部２２は、主伝熱領域Ａ１及び端部領域Ａ２，Ａ２に跨って設けられる。具体的には、第一流路形成用ガスケット配置部２２は、それぞれが第三方向に延びる一対のストレート部（以下、第一ストレート部という）２２０，２２０であって、第二方向に間隔をあけた一対の第一ストレート部２２０，２２０と、一対の第一ストレート部２２０，２２０の対応する端部に繋がる一対の折返部（以下、第一折返部という）２２１，２２１とを備える。
【００４８】
一対の第一ストレート部２２０，２２０のそれぞれは、主伝熱領域Ａ１の外縁（伝熱プレート２，…の第三方向の両端）に沿って配置される。一対の第一ストレート部２２０，２２０のそれぞれは、主伝熱領域Ａ１と一方の端部領域Ａ２との境界に一端を位置させ、主伝熱領域Ａ１と他方の端部領域Ａ２との境界に他端を位置させている。
【００４９】
一対の第一折返部２２１，２２１のうちの一方の第一折返部２２１は、一方の端部領域Ａ２内に設けられ、一対の第一折返部２２１，２２１のうちの他方の第一折返部２２１は、他方の端部領域Ａ２内に設けられる。
【００５０】
一対の第一折返部２２１，２２１のそれぞれは、端部領域Ａ２，Ａ２内の第一開口２０の外周の一部を取り囲むターン部（以下、第一ターン部という）２２１ａと、第一ターン部２２１ａと一対の第一ストレート部２２０，２２０とに繋がる一対の接続部（以下、第一接続部という）２２１ｂ，２２１ｂとを含む。
【００５１】
第一ターン部２２１ａは、一端と該一端の反対側の他端とを有する。本実施形態において、第一ターン部２２１ａは、第一開口２０の外周の一部に沿った円弧状に形成される。これに伴い、第一ターン部２２１ａは、第一開口２０の中心を曲率中心としている。第一ターン部２２１ａにおいて、曲率中心と一端とを結ぶ仮想線と、曲率中心と他端とを結ぶ仮想線とのなす角度は、１８０度よりも小さい。第一ターン部２２１ａの一端は、一方の第一ストレート部２２０の延長線上に位置する。
【００５２】
一対の第一接続部２２１ｂ，２２１ｂのうちの一方の第一接続部２２１ｂは、一方の第一ストレート部２２０と第一ターン部２２１ａの一端とに繋がる。本実施形態において、一方の第一接続部２２１ｂは、真っ直ぐに延びている。すなわち、一方の第一接続部２２１ｂは、一方の第一ストレート部２２０の延長線上に設けられ、一方の第一ストレート部２２０と第一ターン部２２１ａとに繋がる。
【００５３】
これに対し、一対の第一接続部２２１ｂ，２２１ｂのうちの他方の第一接続部２２１ｂは、他方の第一ストレート部２２０と第一ターン部２２１ａの他端とに繋がる。他方の第一接続部２２１ｂは、第一ターン部２２１ａの曲率半径よりも大きな曲率半径の円弧状をなす。他方の第一接続部２２１ｂは、第一ターン部２２１ａに繋がる端部と他方の第一ストレート部２２０に繋がる端部との間が外方に膨らんでいる。
【００５４】
本実施形態において、他方の第一ストレート部２２０が他方の第一接続部２２１ｂに対する接線方向に延びるように、他方の第一接続部２２１ｂの曲率が設定される。
【００５５】
上述の如く、第一開口２０は、伝熱プレート２，…の縦中心線（第三方向に延びる中心線）ＣＬ２を境界にして、端部領域Ａ２を分けた二つの領域のうちの一方の領域に配置される。これに伴い、一対の第一折返部２２１，２２１は、伝熱プレート２，…における横中心線（第二方向に延びる中心線）ＣＬ１を基準に対称である。これにより、第一流路形成用ガスケット配置部２２は、第三方向における寸法が第二方向における一端側から他端側に向かうに連れて小さくなった台形状の領域を画定する。
【００５６】
第二環状ガスケット配置部２３は、第一流路形成用ガスケット配置部２２によって包囲された領域の外側の領域内で第二開口２１を包囲する。一対の第二環状ガスケット配置部２３のそれぞれは、第二開口２１の形状に対応している。上述の如く、本実施形態において、第二開口２１は、円形状である。これに伴い、一対の第二環状ガスケット配置部２３は、円環状である。本実施形態において、第二環状ガスケット配置部２３は、第二開口２１と同心である。
【００５７】
図４に示す如く、第二流路形成用ガスケット配置部２４は、主伝熱領域Ａ１及び端部領域Ａ２，Ａ２に跨って設けられる。具体的には、第二流路形成用ガスケット配置部２４は、それぞれが第三方向に延びる一対のストレート部（以下、第二ストレート部という）２４０，２４０であって、第二方向に間隔をあけた一対の第二ストレート部２４０，２４０と、一対の第二ストレート部２４０，２４０の対応する端部に繋がる一対の折返部（以下、第二折返部という）２４１，２４１とを備える。
【００５８】
一対の第二ストレート部２４０，２４０のそれぞれは、主伝熱領域Ａ１の外縁（伝熱プレート２，…の第三方向の両端）に沿って配置される。一対の第二ストレート部２４０，２４０のそれぞれは、主伝熱領域Ａ１と一方の端部領域Ａ２との境界に一端を位置させ、主伝熱領域Ａ１と他方の端部領域Ａ２との境界に他端を位置させている。本実施形態において、一対の第二ストレート部２４０，２４０は、第一面Ｓ１上にある一対の第一ストレート部２２０，２２０と重複している。すなわち、一対の第二ストレート部２４０，２４０のうちの一方の第二ストレート部２４０は、一対の第一ストレート部２２０，２２０のうちの他方の第一ストレート部２２０と重複し、一対の第二ストレート部２４０，２４０のうちの他方の第二ストレート部２４０は、一対の第一ストレート部２２０，２２０のうちの一方の第一ストレート部２２０と重複している。
【００５９】
一対の第二折返部２４１，２４１のうちの一方の第二折返部２４１は、一方の端部領域Ａ２内に設けられ、一対の第二折返部２４１，２４１のうちの他方の第二折返部２４１は、他方の端部領域Ａ２内に設けられる。
【００６０】
一対の第二折返部２４１，２４１のそれぞれは、端部領域Ａ２，Ａ２内の第二開口２１の外周の一部を取り囲むターン部（以下、第二ターン部という）２４１ａと、第二ターン部２４１ａと一対の第二ストレート部２４０，２４０とに繋がる一対の接続部（以下、第二接続部という）２４１ｂ，２４１ｂとを含む。
【００６１】
第二ターン部２４１ａは、一端と該一端の反対側の他端とを有する。本実施形態において、第二ターン部２４１ａは、第二開口２１の外周の一部に沿った円弧状に形成される。これに伴い、第二ターン部２４１ａは、第二開口２１の中心を曲率中心としている。第二ターン部２４１ａにおいて、曲率中心と一端とを結ぶ仮想線と、曲率中心と他端とを結ぶ仮想線とのなす角度は、１８０度よりも小さい。第二ターン部２４１ａの一端は、一方の第二ストレート部２４０の延長線上に位置する。
【００６２】
本実施形態において、第二ターン部２４１ａの曲率半径は、第二環状ガスケット配置部２３の曲率半径と同一である。すなわち、第二ターン部２４１ａは、第二環状ガスケット配置部２３の一部と重複している。
【００６３】
一対の第二接続部２４１ｂ，２４１ｂのうちの一方の第二接続部２４１ｂは、一方の第二ストレート部２４０と第二ターン部２４１ａの一端とに繋がる。本実施形態において、一方の第二接続部２４１ｂは、真っ直ぐに延びている。すなわち、一方の第二接続部２４１ｂは、一方の第二ストレート部２４０の延長線上に設けられ、一方の第二ストレート部２４０と第二ターン部２４１ａとに繋がる。
【００６４】
これに対し、一対の第二接続部２４１ｂ，２４１ｂのうちの他方の第二接続部２４１ｂは、他方の第二ストレート部２４０と第二ターン部２４１ａの他端とに繋がる。
【００６５】
本実施形態において、他方の第二接続部２４１ｂは、第三方向に一端と該一端の反対側の他端とを含む第一部２４２であって、一端が他方の第二ストレート部２４０に繋がる第一部２４２と、第一部２４２の他端と第二ターン部２４１ａの他端とに繋がる第二部２４３とを含む。
【００６６】
第一部２４２は、第三方向に真っ直ぐに延びる。すなわち、第一部２４２は、他方の第二ストレート部２４０の延長線上に設けられる。これに伴い、第一部２４２は、第一流路形成用ガスケット配置部２２の第一折返部２２１における一方の第一接続部２２１ｂと重複している。
【００６７】
第二部２４３は、第二ターン部２４１ａの他端に繋がる第一延出部２４３ａであって、横中心線ＣＬ１と交差する方向に延びる第一延出部２４３ａと、第一部２４２の他端から延出した第二延出部２４３ｂと、第一延出部２４３ａと第二延出部２４３ｂとに繋がる連結部２４３ｃとを含む。
【００６８】
第一延出部２４３ａは、第二ターン部２４１ａの接線方向に延び、縦中心線（第三方向に延びる伝熱プレート２の中心線）ＣＬ２上で第一流路形成用ガスケット配置部２２の第一折返部２２１における他方の第一接続部２２１ｂと交差している。
【００６９】
第二延出部２４３ｂは、第一開口２０の近傍に設けられる。第二延出部２４３ｂは、横中心線ＣＬ１の延びる方向、又は横中心線ＣＬ１と交差する方向に延びる。本実施形態において、第二延出部２４３ｂは、横中心線ＣＬ１と交差する方向に延びる。これに伴い、第二延出部２４３ｂの横中心線ＣＬ１に対する傾斜角度は、第一延出部２４３ａの横中心線ＣＬ１に対する傾斜角度よりも小さく設定される。
【００７０】
上述の如く、第一部２４２は、第一流路形成用ガスケット配置部２２の第一折返部２２１における一方の第一接続部２２１ｂと重複しているため、第二延出部２４３ｂは、第一流路形成用ガスケット配置部２２の第一折返部２２１における一方の第一接続部２２１ｂの途中位置と対応する位置から延びる。
【００７１】
連結部２４３ｃは、円弧状に形成される。ここでは、第一開口２０の外周に沿っている。すなわち、連結部２４３ｃは、第一開口２０の中心を曲率中心として円弧状に形成される。
【００７２】
上述の如く、第二開口２１は、伝熱プレート２，…の縦中心線（第三方向に延びる中心線）ＣＬ２を境界にして、端部領域Ａ２を分けた二つの領域のうちの他方の領域に配置される。これに伴い、一対の第二折返部２４１，２４１は、伝熱プレート２，…における横中心線（第二方向に延びる中心線）ＣＬ１を基準に対称である。これにより、第二流路形成用ガスケット配置部２４は、第三方向における寸法が第二方向における他端側から一端側に向かうに連れて小さくなった台形状の領域を画定する。
【００７３】
第一環状ガスケット配置部２５は、第二流路形成用ガスケット配置部２４によって包囲された領域の外側の領域内で第一開口２０を包囲する。一対の第一環状ガスケット配置部２５のそれぞれは、第一開口２０の形状に対応している。上述の如く、本実施形態において、第一開口２０は、円形状である。これに伴い、一対の第一環状ガスケット配置部２５は、円環状である。本実施形態において、第一環状ガスケット配置部２５は、第一開口２０と同心である。
【００７４】
本実施形態において、第一環状ガスケット配置部２５の曲率半径は、第一流路形成用ガスケット配置部２２の第一折返部２２１の第一ターン部２２１ａの曲率半径と同一である。すなわち、第一環状ガスケット配置部２５の一部は、第一流路形成用ガスケット配置部２２の第一折返部２２１の第一ターン部２２１ａと重複している。
【００７５】
第一面Ｓ１上にある第一流路形成用ガスケット配置部２２及び第二環状ガスケット配置部２３は、当該第一面Ｓ１上において同一レベルにある。また、第二面Ｓ２上にある第二流路形成用ガスケット配置部２４及び第一環状ガスケット配置部２５は、当該第二面Ｓ２上において同一レベルにある。
【００７６】
伝熱プレート２，…の第一面Ｓ１及び第二面Ｓ２のそれぞれは、図３及び図４に示す如く、第一流路形成用ガスケット配置部２２の包囲する領域と、第二流路形成用ガスケット配置部２４の包囲する領域との重複領域に複数の凸条２６，２７及び凹条２８，２９を有する。
【００７７】
また、伝熱プレート２，…の第一面Ｓ１は、第一流路形成用ガスケット配置部２２の外周に沿って設けられた支持部（第一支持部という）３０ａを有し、伝熱プレート２，…の第二面Ｓ２は、第二流路形成用ガスケット配置部２４の外周に沿って設けられた支持部（第二支持部という）３０ｂを有する。
【００７８】
第一支持部３０ａは、第一方向に突出した複数の支持凸部（以下、第一支持凸部）３００ａであって、間隔をあけて配置された複数の第一支持凸部３００ａと、隣り合う第一支持凸部３００ａ間に設けられた複数の凹部（以下、第一凹部という）３００ｂとを含む。
【００７９】
また、第二支持部３０ｂは、第一方向に突出した複数の支持凸部（以下、第二支持凸部）３０１ａであって、間隔をあけて配置された複数の第二支持凸部３０１ａと、隣り合う第二支持凸部３０１ａ間に設けられた複数の凹部（以下、第二凹部という）３０１ｂとを含む。
【００８０】
本実施形態において、第一支持凸部３００ａは、第二凹部３０１ｂの裏側であり、第一凹部３００ｂは、第二支持凸部３０１ａの裏側である。従って、第一面Ｓ１にある第一支持凸部３００ａは、第二面Ｓ２にある第二支持凸部３０１ａ間に位置し、第二面Ｓ２にある第二支持凸部３０１ａは、第一面Ｓ１にある第一支持凸部３００ａ間に位置している。
【００８１】
伝熱プレート２，…は、上述の如く、プレス成型により作製されるため、第一面Ｓ１上の凸条２６は、第二面Ｓ２の凹条２９と対応し、第一面Ｓ１上の凹条２８は、第二面Ｓ２上の凸条２７と対応する。すなわち、第一面Ｓ１上の凸条２６と第二面Ｓ２上の凹条２９とは表裏の関係にあり、第一面Ｓ１上の凹条２８と第二面Ｓ２上の凸条２７とは表裏の関係にある。
【００８２】
伝熱プレート２，…の第一面Ｓ１上の凸条２６の突出量は、第一面Ｓ１上の第一流路形成用ガスケット配置部２２及び第二環状ガスケット配置部２３のある位置（面）を基準レベルにして設定される。また、伝熱プレート２，…の第一面Ｓ１上の凹条２８の窪み量（深さ）は、第一面Ｓ１上の第一流路形成用ガスケット配置部２２及び第二環状ガスケット配置部２３を基準レベルにして設定されている。
【００８３】
これに対し、伝熱プレート２，…の第二面Ｓ２上の凸条２７の突出量は、第二面Ｓ２上の第二流路形成用ガスケット配置部２４及び第一環状ガスケット配置部２５のある位置（面）を基準レベルにして設定される。また、伝熱プレート２，…の第二面Ｓ２上の凹条２９の窪み量（深さ）は、第二面Ｓ２上の第二流路形成用ガスケット配置部２４及び第一環状ガスケット配置部２５のある位置（面）を基準レベルにして設定されている。
【００８４】
伝熱プレート２，…の第一面Ｓ１は、図５に示す如く、凸条２６として、一方の第一ストレート部２２０近傍から他方の第一ストレート部２２０近傍にまで延びる第一長尺凸条２６ａであって、第三方向に間隔をあけて設けられる複数の第一長尺凸条２６ａと、第一長尺凸条２６ａ間に設けられる短尺凸条２６ｂとを有する。なお、図５において、第一面Ｓ１上にある凸条２６の最も高い頂部（後述する高部位２６０ａ，２６０ｂ）にドットを付している。
【００８５】
第一長尺凸条２６ａ及び短尺凸条２６ｂのそれぞれは、基準レベルからの突出量が標準高さに設定された高部位２６０ａ，２６０ｂと、基準レベルからの突出量が高部位２６０ａ，２６０ｂよりも低い低部位２６１ａ，２６１ｂとを含む。ここで「標準高さ」とは、伝熱プレート２，…を第一方向に重ね合わせた状態（隣り合う伝熱プレート２，２の支持部３０ａ，３０ｂ同士を支持させた状態）において、隣り合う二つの伝熱プレート２，…の凸条２６，２７の頂点が第二方向及び第三方向に広がる仮想面上に位置する高さを意味する。
【００８６】
伝熱プレート２の第一面Ｓ１の凸条２６（第一長尺凸条２６ａ）は、第二方向に間隔をあけて配置された複数の直線部２６２ａ，２６３ａであって、第二方向で隣り合う直線部２６２ａ，２６３ａ同士が第三方向に位置ずれした複数の直線部２６２ａ，２６３ａと、第二方向において隣り合う直線部２６２ａ，２６３ａに繋がる傾斜部２６４ａと、直線部２６２ａの一方の端部にのみに繋がる傾斜部２６５ａであって、当該凸条２６（第一長尺凸条２６ａ）の端部を構成する傾斜部２６５ａとを備える。
【００８７】
より具体的に説明する。第一面Ｓ１上の第一長尺凸条２６ａは、それぞれが第二方向に延びる複数の直線部（以下、第一直線部という）２６２ａであって、第二方向に間隔をあけて直列に配置された複数の第一直線部２６２ａと、それぞれが第二方向に延び、第二方向に間隔をあけて直列に配置された複数の直線部（以下、第二直線部という）２６３ａであって、第三方向で第一直線部２６２ａに対して位置ずれし且つ第二方向で隣り合う第一直線部２６２ａ間に対応した位置に配置された複数の第二直線部２６３ａと、互いに近接する第一直線部２６２ａの端部と第二直線部２６３ａの端部とに繋がる複数の傾斜部（以下、接続傾斜部という）２６４ａとを備える。
【００８８】
さらに、第一長尺凸条２６ａは、第一ストレート部２２０と隣接する第二方向における自身の端部として、第一直線部２６２ａ又は第二直線部２６３ａの端部に連続し且つ第二方向と交差する方向に延びる傾斜部（以下、端部傾斜部という）２６５ａを備える。
【００８９】
第一直線部２６２ａ及び第二直線部２６３ａの第二方向の長さは、同一又は略同一の長さに設定される。
【００９０】
第二方向で隣り合う第一直線部２６２ａ同士の間隔は、第二直線部２６３ａの第二方向の長さよりも広く設定され、第二方向で隣り合う第二直線部２６３ａ同士の間隔は、第一直線部２６２ａの第二方向の長さよりも広く設定される。
【００９１】
本実施形態において、第一直線部２６２ａは、第二方向で隣り合う第二直線部２６３ａ間の中央に自身の第二方向の中央を一致させ、第二直線部２６３ａは、第二方向で隣り合う第一直線部２６２ａ間の中央に自身の第二方向の中央を一致させている。
【００９２】
これに伴い、近接する第一直線部２６２ａの端部と第二直線部２６３ａの端部とに繋がる接続傾斜部２６４ａは、第二方向に対して交差する方向に延びる。すなわち、第一直線部２６２ａの両端部に繋がる二つの接続傾斜部２６４ａの第二方向の間隔は、第二直線部２６３ａに近づく（第一直線部２６２ａから遠ざかる）につれて広がり、第二直線部２６３ａの両端部に繋がる二つの接続傾斜部２６４ａの第二方向の間隔は、第一直線部２６２ａに近づく（第二直線部２６３ａから遠ざかる）につれて広がっている。
【００９３】
本実施形態において、伝熱プレート２，…の第一面Ｓ１は、第一長尺凸条２６ａとして、第一直線部２６２ａに対して第二直線部２６３ａを第三方向における一方側に位置ずれさせた第一長尺凸条２６ａと、第一直線部２６２ａに対して第二直線部２６３ａを第三方向における他方側に位置ずれさせた第一長尺凸条２６ａとを有する。
【００９４】
伝熱プレート２，…の第一面Ｓ１において、第一直線部２６２ａに対して第二直線部２６３ａを第三方向における一方側に位置ずれさせた第一長尺凸条２６ａと、第一直線部２６２ａに対して第二直線部２６３ａを第三方向における他方側に位置ずれさせた第一長尺凸条２６ａとが第三方向に交互に配置される。
【００９５】
第一直線部２６２ａに対して第二直線部２６３ａを第三方向における一方側に位置ずれさせた第一長尺凸条２６ａと、第一直線部２６２ａに対して第二直線部２６３ａを第三方向における他方側に位置ずれさせた第一長尺凸条２６ａとは、互いの間を通る仮想面（第二方向の延びる仮想線に沿った仮想面）を基準に面対称に配置される。
【００９６】
これにより、伝熱プレート２，…の第一面Ｓ１は、第三方向で隣り合う第一長尺凸条２６ａの第二直線部２６３ａ同士の間隔が、第一直線部２６２ａ同士の間隔よりも広くなった間隔拡大部（採番しない）と、第三方向で隣り合う第一長尺凸条２６ａの第一直線部２６２ａ同士の間隔が、第二直線部２６３ａ同士の間隔よりも広くなった間隔拡大部（採番しない）とを有する。
【００９７】
第一直線部２６２ａ及び第二直線部２６３ａのそれぞれは、高部位２６０ａと低部位２６１ａとを含む。具体的には、第一長尺凸条２６ａの第一直線部２６２ａ及び第二直線部２６３ａのそれぞれは、低部位２６１ａと、第二方向において低部位２６１ａの両側に配置された高部位２６０ａとを含む。
【００９８】
また、本実施形態において、伝熱プレート２，…の第一面Ｓ１は、第一長尺凸条２６ａとして、第一直線部２６２ａ及び第二直線部２６３ａの低部位２６１ａの数を異にした複数種類の第一長尺凸条２６ａを有する（図３参照）。
【００９９】
具体的には、伝熱プレート２，…の第一面Ｓ１は、第一直線部２６２ａに対して第二直線部２６３ａを第三方向における一方側に位置ずれさせた第一長尺凸条２６ａとして、一つの低部位２６１ａを含む第一直線部２６２ａ及び二つの低部位２６１ａを含む第二直線部２６３ａを含む第一長尺凸条２６ａと、二つの低部位２６１ａを含む第一直線部２６２ａ及び一つの低部位２６１ａを含む第二直線部２６３ａを含む第一長尺凸条２６ａとを有する。
【０１００】
また、伝熱プレート２，…の第一面Ｓ１は、第一直線部２６２ａに対して第二直線部２６３ａを第三方向における他方側に位置ずれさせた第一長尺凸条２６ａとして、一つの低部位２６１ａを含む第一直線部２６２ａ及び一つの低部位２６１ａを含む第二直線部２６３ａを含む第一長尺凸条２６ａと、二つの低部位２６１ａを含む第一直線部２６２ａ及び二つの低部位２６１ａを含む第二直線部２６３ａを含む第一長尺凸条２６ａとを有する。
【０１０１】
そして、一つの低部位２６１ａを含む第一直線部２６２ａ及び二つの低部位２６１ａを含む第二直線部２６３ａを含む第一長尺凸条２６ａに対して第三方向の一方側で、一つの低部位２６１ａを含む第一直線部２６２ａ及び一つの低部位２６１ａを含む第二直線部２６３ａを含む第一長尺凸条２６ａが隣り合っている。また、一つの低部位２６１ａを含む第一直線部２６２ａ及び二つの低部位２６１ａを含む第二直線部２６３ａを含む第一長尺凸条２６ａに対して第三方向の他方側で、二つの低部位２６１ａを含む第一直線部２６２ａ及び二つの低部位２６１ａを含む第二直線部２６３ａを含む第一長尺凸条２６ａが隣り合っている。
【０１０２】
さらに、二つの低部位２６１ａを含む第一直線部２６２ａ及び一つの低部位２６１ａを含む第二直線部２６３ａを含む第一長尺凸条２６ａに対して第三方向の一方側で、二つの低部位２６１ａを含む第一直線部２６２ａ及び二つの低部位２６１ａを含む第二直線部２６３ａを含む第一長尺凸条２６ａが隣り合っている。また、二つの低部位２６１ａを含む第一直線部２６２ａ及び一つの低部位２６１ａを含む第二直線部２６３ａを含む第一長尺凸条２６ａに対して第三方向の他方側で、一つの低部位２６１ａを含む第一直線部２６２ａ及び一つの低部位２６１ａを含む第二直線部２６３ａを含む第一長尺凸条２６ａが隣り合っている。
【０１０３】
短尺凸条２６ｂは、第二方向に延びる。すなわち、短尺凸条２６ｂ自身が直線部を構成している。短尺凸条２６ｂは、間隔拡大部内に配置される。
【０１０４】
上述の如く、第一長尺凸条２６ａの第一直線部２６２ａ及び第二直線部２６３ａのそれぞれが低部位２６１ａを含むため、これに対応して短尺凸条２６ｂも高部位２６０ｂと低部位２６１ｂを含む。本実施形態において、伝熱プレート２，…の第一面Ｓ１は、短尺凸条２６ｂとして、一つの低部位２６１ｂを含む短尺凸条２６ｂと、二つの低部位２６１ｂを含む短尺凸条２６ｂとを有する。
【０１０５】
一つの低部位２６１ｂを含む短尺凸条２６ｂは、二つの低部位２６１ａを含む第一直線部２６２ａ間（間隔拡大部）及び二つの低部位２６１ａを含む第二直線部２６３ａ間（間隔拡大部）に配置され、二つの低部位２６１ｂを含む短尺凸条２６ｂは、一つの低部位２６１ａを含む第一直線部２６２ａ（間隔拡大部）及び一つの低部位２６１ａを含む第二直線部２６３ａ（間隔拡大部）に配置される。
【０１０６】
これにより、伝熱プレート２，…の第一面Ｓ１において、第一長尺凸条２６ａにおける第一直線部２６２ａに設けられた一つの低部位２６１ａ及び短尺凸条２６ｂに設けられた一つの低部位２６１ｂが一列に並ぶとともに、第一長尺凸条２６ａにおける第二直線部２６３ａに設けられた一つの低部位２６１ａ及び短尺凸条２６ｂに設けられた一つの低部位２６１ｂが一列に並ぶ。また、伝熱プレート２，…の第一面Ｓ１において、第一長尺凸条２６ａにおける第一直線部２６２ａに設けられた二つの低部位２６１ａ及び短尺凸条２６ｂに設けられた二つの低部位２６１ｂが二列に並ぶとともに、第一長尺凸条２６ａにおける第二直線部２６３ａに設けられた二つの低部位２６１ａ及び短尺凸条２６ｂに設けられた二つの低部位２６１ｂが二列に並ぶ。
【０１０７】
これにより、第三方向において隣り合う第一長尺凸条２６ａ同士の低部位２６１ａが第二方向において位置ずれするとともに、第三方向において隣り合う第一長尺凸条２６ａと短尺凸条２６ｂとの低部位２６１ａ，２６１ｂが第二方向において位置ずれした配置になっている。
【０１０８】
図６及び図７に示す如く、第一面Ｓ１上の凸条２６である第一長尺凸条２６ａ（第一直線部２６２ａ、第二直線部２６３ａ）及び短尺凸条２６ｂのそれぞれにおいて、低部位２６１ａ，２６１ｂは、当該低部位２６１ａ，２６１ｂにおける第二方向の幅寸法（Ｗ）と、高部位２６０ａ，２６０ｂの頂上と低部位２６１ａ，２６１ｂの頂上との第一方向における高低差（ｄ）との比（Ｗ／ｄ）が２以上になるように形成される。
【０１０９】
伝熱プレート２，…の第一面Ｓ１の凸条２６（第一長尺凸条２６ａ及び短尺凸条２６ｂ）の裏側は、第二面Ｓ２の凹条２９である。従って、第一長尺凸条２６ａ及び短尺凸条２６ｂに低部位２６１ａ，２６１ｂが設けられるに伴い、第一面Ｓ１上の第一長尺凸条２６ａ及び短尺凸条２６ｂの裏側に形成される第二面Ｓ２上の凹条２９には深さの深い部分と深さの浅い部分とが形成される。すなわち、第一長尺凸条２６ａ（第一直線部２６２ａ、第二直線部２６３ａ）の高部位２６０ａ，２６０ｂの裏側になる第二面Ｓ２の凹条２９は、深さの深い部分となり、第一長尺凸条２６ａ（第一直線部２６２ａ、第二直線部２６３ａ）に低部位２６１ａ，２６１ｂの裏側になる第二面Ｓ２の凹条２９は、深さの浅い部分となる。
【０１１０】
図５に戻り、第一長尺凸条２６ａの接続傾斜部２６４ａは、隣り合う伝熱プレート２，…（本実施形態においては第一面Ｓ１）に対して、当接可能に構成される。また、第一長尺凸条２６ａの端部傾斜部２６５ａは、隣り合う伝熱プレート２，…（本実施形態においては第一面Ｓ１）に対して、当接可能に構成される。
【０１１１】
具体的には、端部傾斜部２６５ａは、図５及び図８に示す如く、基準レベルからの突出量が第一直線部２６２ａ及び第二直線部２６３ａの高部位２６０ａと同一又は略同一に設定された高部位（以下、端部高部位という）２６７ａと、端部高部位２６７ａと隣り合う逃部２６７ｂであって、基準レベルからの突出量が端部高部位２６７ａよりも少ない逃部２６７ｂを含む。端部傾斜部２６５ａは、隣り合う伝熱プレート２，…の第一面Ｓ１における端部傾斜部２６５ａと交差する（図１６参照）。
【０１１２】
これを前提に、逃部２６７ｂは、端部傾斜部２６５ａにおける対向する伝熱プレート２，…の端部傾斜部２６５ａとの交差部分に配置される。これに伴い、端部高部位２６７ａは、逃部２６７ｂの両側に配置される。
【０１１３】
端部傾斜部２６５ａにおける逃部２６７ｂの基準レベルからの突出量は、伝熱プレート２，…のたわみ量を考慮して設定される。すなわち、図８に示す如く、逃部２６７ｂの両側にある端部高部位２６７ａと逃部２６７ｂとの第一方向における高低差ｄ１は、当該伝熱プレート２，…の端部傾斜部２６５ａの逃部２６７ｂのある部分におけるたわみ量に対応している。
【０１１４】
本実施形態において、第一方向で隣り合う伝熱プレート２，…は、互いの第二方向における両端部（一対の第一ストレート部２２０の外側にある支持部３０ａ，３０ｂ）同士で支持し合う。すなわち、伝熱プレート２，…は、第二方向において両端支持される。
【０１１５】
これにより、伝熱プレート２，…は、第二面Ｓ２側からの圧力が作用したときに、第二方向における第一流路Ｒａ及び第二流路Ｒｂの外側にある支持部３０ａを支点にして撓む。伝熱プレート２，…の撓み量（第一方向の変移量）は、支持部３０ａからの離間距離により異なり、各位置におけるたわみ量は支持部３０ａ，３０ｂからの離間量と比例的となる。
【０１１６】
従って、端部傾斜部２６５ａにおける逃部２６７ｂは、その位置での伝熱プレート２，…のたわみ量に応じて第一直線部２６２ａ及び第二直線部２６３ａの高部位２６０ａよりも低く設定される。すなわち、端部傾斜部２６５ａにおける逃部２６７ｂは、常態において、対向する端部傾斜部２６５ａとの干渉を回避する。
【０１１７】
図５及び図９に示す如く、接続傾斜部２６４ａは、基準レベルからの突出量が第一直線部２６２ａ及び第二直線部２６３ａの高部位２６０ａと同一又は略同一に設定された高部位（以下、接続高部位という）２６８ａと、接続高部位２６８ａと隣り合う逃部２６８ｂであって、基準レベルからの突出量が接続高部位２６８ａよりも少ない逃部２６８ｂとを含む。接続傾斜部２６４ａは、隣り合う伝熱プレート２，…の第一面Ｓ１における接続傾斜部２６４ａと交差する（図１７参照）。
【０１１８】
これを前提に、接続傾斜部２６４ａにおいて、逃部２６８ｂは、対向する伝熱プレート２，…の接続傾斜部２６４ａとの交差部分に配置される。これに伴い、接続高部位２６８ａは、逃部２６８ｂの両側に配置される。
【０１１９】
接続傾斜部２６４ａにおける逃部２６８ｂの基準レベルからの突出量は、伝熱プレート２，…のたわみ量を考慮して設定される。すなわち、図９に示す如く、逃部２６８ｂの両側にある接続高部位２６８ａと逃部２６８ｂとの第一方向における高低差ｄ２は、当該伝熱プレート２，…の接続傾斜部２６４ａの逃部２６８ｂのある部分におけるたわみ量に対応している。
【０１２０】
本実施形態において、第一方向で隣り合う伝熱プレート２，…は、上述の如く、互いの第二方向における両端部（一対の第一ストレート部２２０の外側にある支持部３０ａ，３０ｂ）同士で支持し合っているため、伝熱プレート２，…は、第二面Ｓ２側からの圧力の作用が生じたときに、第二方向において第一流路Ｒａ及び第二流路Ｒｂの外側にある支持部３０ａ，３０ｂを支点にして撓む。伝熱プレート２，…の撓み量（第一方向の変移量）は、支持部３０ａからの離間距離により異なり、各位置におけるたわみ量は支持位置からの離間量と比例的となる。
【０１２１】
従って、接続傾斜部２６４ａにおける逃部２６８ｂは、その位置での伝熱プレート２，…のたわみ量に応じて接続高部位２６８ａよりも低く設定される。
【０１２２】
接続傾斜部２６４ａは、端部傾斜部２６５ａよりも第二方向において内側に存在する。従って、伝熱プレート２，…における接続傾斜部２６４ａのある部分は、端部傾斜部２６５ａのある部分よりもたわみ量が多くなる。
【０１２３】
従って、接続傾斜部２６４ａの逃部２６８ｂは、端部傾斜部２６５ａの逃部２６７ｂよりも低く設定される。すなわち、逃部２６８ｂの両側にある接続高部位２６８ａと、接続傾斜部２６４ａの逃部２６８ｂとの第一方向における高低差（深さ）ｄ２は、端部傾斜部２６５ａにおける端部高部位２６７ａと端部傾斜部２６５ａの逃部２６７ｂとの第一方向における高低差（深さ）ｄ１よりも大きく（深く）なっている。
【０１２４】
これにより、接続傾斜部２６４ａにおける逃部２６８ｂは、常態において対向する接続傾斜部２６４ａとの干渉を回避する。
【０１２５】
伝熱プレート２，…の第一面Ｓ１の凸条２６は、以上の通りであり、伝熱プレート２，…の第一面Ｓ１は、第三方向に並ぶ第一長尺凸条２６ａの間及び第三方向に並ぶ第一長尺凸条２６ａと短尺凸条２６ｂとの間に凹条２８を有する。そして、伝熱プレート２，…の第一面Ｓ１の凸条２６（第一長尺凸条２６ａ、短尺凸条２６ｂ）は、伝熱プレート２，…の第二面Ｓ２に凹条２９を形成し、第一面Ｓ１の凹条２８は、伝熱プレート２，…の第二面Ｓ２の凸条２７を形成する。
【０１２６】
具体的には、本実施形態に係る伝熱プレート２，…の第二面Ｓ２は、図１０に示す如く、凸条２７として、一方の第二ストレート部２４０の近傍から他方の第二ストレート部２４０の近傍にまで延びる第二長尺凸条２７を有する。なお、図１０において、第二面Ｓ２上にある凸条２７の最も高い頂部（後述する高部位２７３ａ）にドットを付している。
【０１２７】
第二長尺凸条２７は、第二方向に延びる直線部（以下、直列直線部という）２７０であって、第二方向に間隔をあけて配置された直列直線部２７０と、それぞれが第二方向に延び且つ第三方向に間隔をあけて配置された一対の直線部（以下、並列直線部という）２７１であって、第二方向で隣り合う直列直線部２７０間に配置された一対の並列直線部２７１と、第二方向で隣り合う直列直線部２７０と一対の並列直線部２７１とを繋ぐ分岐部２７２とを備える。
【０１２８】
直列直線部２７０及び並列直線部２７１の第二方向の長さは、同一又は略同一の長さに設定される。
【０１２９】
第二方向で隣り合う直列直線部２７０同士の間隔は、並列直線部２７１の第二方向の長さよりも広く設定され、第二方向で隣り合う並列直線部２７１同士の間隔は、直列直線部２７０の第二方向の長さよりも広く設定される。
【０１３０】
本実施形態において、直列直線部２７０は、第二方向で隣り合う並列直線部２７１間の中央に自身の第二方向の中央を一致させ、並列直線部２７１は、第二方向で隣り合う直列直線部２７０間の中央に自身の第二方向の中央を一致させている。
【０１３１】
分岐部２７２は、第二方向に対して傾斜する方向に延びる一対の傾斜部（以下、分岐傾斜部という）２７２ａ，２７２ａを含む。すなわち、分岐部２７２は、直列直線部２７０と一方の並列直線部２７１を繋ぐ分岐傾斜部２７２ａと、直列直線部２７０と他方の並列直線部２７１を繋ぐ分岐傾斜部２７２ａとを有する。一対の分岐傾斜部２７２ａ，２７２ａのそれぞれは、直列直線部２７０上を通って第二方向に延びる仮想線に沿った仮想面を基準に面対称であり、横中心線ＣＬ１と交差する方向に延びる。
【０１３２】
これにより、一方の並列直線部２７１の両端部に繋がる分岐傾斜部２７２ａ，２７２ａの第二方向の間隔は、直列直線部２７０に近づく（一方の並列直線部２７１から遠ざかる）につれて広がり、他方の並列直線部２７１に繋がる二つの分岐傾斜部２７２ａ，２７２ａの第二方向の間隔は、直列直線部２７０に近づく（他方の並列直線部２７１から遠ざかる）につれて広がっている。
【０１３３】
伝熱プレート２，…の第二面Ｓ２において、第三方向で隣り合う第二長尺凸条２７は、互いの並列直線部２７１を第二方向にずらして配置される。
【０１３４】
すなわち、第三方向で隣り合う第二長尺凸条２７のうちの一方の第二長尺凸条２７の直列直線部２７０は、他方の第二長尺凸条２７の一対の並列直線部２７１のうちの一方の並列直線部２７１に対して第三方向で間隔をあけて配置され、第三方向で隣り合う第二長尺凸条２７のうちの一方の第二長尺凸条２７における一対の並列直線部２７１のうちの他方の並列直線部２７１は、他方の第二長尺凸条２７の直列直線部２７０に対して第三方向で間隔をあけて配置される。
【０１３５】
第二長尺凸条２７において、直列直線部２７０及び一対の並列直線部２７１のそれぞれは、高部位２７３ａと低部位２７３ｂとを含む。具体的には、直列直線部２７０及び一対の並列直線部２７１のそれぞれは、低部位２７３ｂと、第二方向において低部位２７３ｂの両側に配置された高部位２７３ａとを含む。
【０１３６】
また、本実施形態において、伝熱プレート２，…の第二面Ｓ２は、第二長尺凸条２７として、直列直線部２７０及び一対の並列直線部２７１の低部位２７３ｂの数を異にした複数種類の第二長尺凸条２７を有する（図４参照）。
【０１３７】
具体的には、伝熱プレート２，…の第二面Ｓ２は、第二長尺凸条２７として、一つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７と、二つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７と、二つの低部位２７３ｂを含む直列直線部２７０、一つの低部位２７３ｂを含む一方の並列直線部２７１、及び、二つの低部位２７３ｂを含む他方の並列直線部２７１を含む第二長尺凸条２７と、一つの低部位２７３ｂを含む直列直線部２７０、一つの低部位２７３ｂを含む一方の並列直線部２７１、及び、二つの低部位２７３ｂを含む他方の並列直線部２７１を含む第二長尺凸条２７とを有する。
【０１３８】
これを前提に、一つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７の第三方向における一方側には、一つの低部位２７３ｂを含む直列直線部２７０、一つの低部位２７３ｂを含む一方の並列直線部２７１、及び、二つの低部位２７３ｂを含む他方の並列直線部２７１を含む第二長尺凸条２７が配置される。
【０１３９】
一つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７の第三方向における他方側には、二つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７が配置される。
【０１４０】
すなわち、二つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７の第三方向の一方側には、一つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７が配置される。
【０１４１】
これに伴い、二つの低部位２７３ｂを含む直列直線部２７０、二つの低部位２７３ｂを含む一方の並列直線部２７１、及び、一つの低部位２７３ｂを含む他方の並列直線部２７１を含む第二長尺凸条２７の第三方向の他方側には、二つの低部位２７３ｂを含む直列直線部２７０、一つの低部位２７３ｂを含む一方の並列直線部２７１、及び、二つの低部位２７３ｂを含む他方の並列直線部２７１を含む第二長尺凸条２７が配置される。
【０１４２】
これにより、伝熱プレート２，…の第二面Ｓ２において、直列直線部２７０に設けられた一つの低部位２７３ｂ及び並列直線部２７１に設けられた一つの低部位２７３ｂが一列に並ぶとともに、直列直線部２７０に設けられた二つの低部位２７３ｂ及び並列直線部２７１二つの低部位２７３ｂが二列に並ぶ。
【０１４３】
これにより、第三方向において隣り合う第二長尺凸条２７同士の低部位２７３ｂが第二方向において位置ずれした配置になっている。
【０１４４】
伝熱プレート２，…の第二面Ｓ２においても、それぞれの低部位２７３ｂは、図１１及び図１２に示す如く、当該低部位２７３ｂにおける第二方向の幅寸法（Ｗ）と、高部位２７３ａの頂上と低部位２７３ｂの頂上との第一方向における高低差（ｄ）との比（Ｗ／ｄ）が２以上になるように形成される。
【０１４５】
伝熱プレート２，…の第二面Ｓ２の凸条（第二長尺凸条）２７の裏側は、第一面Ｓ１の凹条２８である。従って、上述の如く、第二長尺凸条２７（直列直線部２７０及び並列直線部２７１）に低部位２７３ｂが設けられるに伴い、第一面Ｓ１の凹条２８には、深さの深い部分と深さの浅い部分とが形成される。すなわち、第二長尺凸条２７（直列直線部２７０及び並列直線部２７１）に高部位２７３ａの裏側になる第一面Ｓ１の凹条２８は、深さの深い部分となり、第二長尺凸条２７（直列直線部２７０及び並列直線部２７１）に低部位２７３ｂの裏側になる第一面Ｓ１の凹条２８は、深さの浅い部分となる。
【０１４６】
そして、伝熱プレート２，…の第二面Ｓ２において、第三方向に並ぶ複数の第二長尺凸条２７の間に凹条２９が形成される。伝熱プレート２，…の第二面Ｓ２の凹条２９は、第一面Ｓ１の凸条２６（第一長尺凸条２６ａ、短尺凸条２６ｂ）の裏側である。
【０１４７】
本実施形態において、プレート式熱交換器１は、図２に示す如く、ガスケット３，４，５，６として、第一流路形成用ガスケット配置部２２に配置される無端環状の第一流路形成用ガスケット３と、第二環状ガスケット配置部２３に配置される無端環状の第二環状ガスケット４と、第二流路形成用ガスケット配置部２４に配置される無端環状の第二流路形成用ガスケット５と、第一環状ガスケット配置部２５に配置される無端環状の第一環状ガスケット６とを備える。
【０１４８】
第一流路形成用ガスケット３は、図１３に示す如く、隣り合う伝熱プレート２，…の第一面Ｓ１間で、第一流体Ａを第三方向に流通させる第一流路Ｒａを画定するための第一流路形成用シールラインを構成する。第一流路形成用ガスケット３は、第一流路形成用ガスケット配置部２２の形態に即して形成される。すなわち、第一流路形成用ガスケット３は、第一流路形成用ガスケット配置部２２の一対の第一ストレート部２２０に対応する一対のストレートシール部（以下、第一ストレートシール部という）３１と、一対の第一折返部２２１に対応する一対の折返シール部（以下、第一折返シール部という）３２とを備える。
【０１４９】
具体的には、第一流路形成用ガスケット３は、それぞれが第三方向に延びて両端部が主伝熱領域Ａ１と端部領域Ａ２との境界に位置する一対の第一ストレートシール部３１であって、第二方向に間隔をあけた一対の第一ストレートシール部３１と、一対の第一ストレートシール部３１の対応する端部に繋がる一対の第一折返シール部３２とを有する。
【０１５０】
第一折返シール部３２は、第一開口２０の外周の一部を取り囲むターンシール部（以下、第一ターンシール部という）３２０と、該第一ターンシール部３２０の両端のそれぞれから延びて対応する第一ストレートシール部３１に繋がる一対の接続シール部（以下、第一接続シール部という）３２１とを含む。
【０１５１】
第一ターンシール部３２０は、第一開口２０の外周の一部に沿うように形成される。本実施形態において、第一開口２０は、円形状にされるため、第一ターンシール部３２０は、円弧状にされる。これに伴い、第一ターンシール部３２０は、周方向に一端と該一端の反対側の他端とを有する。
【０１５２】
第一流路形成用ガスケット３において、第一折返シール部３２の一対の第一接続シール部３２１のうちの一方の第一接続シール部３２１は、一方の第一ストレートシール部３１の延長線上で延びて第一ターンシール部３２０の一端に繋がる。これに対し、第一流路形成用ガスケット３おける第一折返シール部３２の一対の第一接続シール部３２１のうちの他方の第一接続シール部３２１は、第一ターンシール部３２０の他端と主伝熱領域Ａ１と端部領域Ａ２との境界にある他方の第一ストレートシール部３１の端部とに繋がる。そして、第一流路形成用ガスケット３おける第一折返シール部３２の一対の第一接続シール部３２１のうちの他方の第一接続シール部３２１は、外方に向けて凸をなす円弧状に形成されている。
【０１５３】
第一流路形成用ガスケット３の他方の第一ストレートシール部３１は、第一流路形成用ガスケット３における第一折返シール部３２の他方の第一接続シール部３２１に対して接線方向に延びている。
【０１５４】
第二環状ガスケット４は、第二開口２１を取り囲む環状のシールラインを構成する。第二環状ガスケット４は、第二環状ガスケット配置部２３の形態に即して形成される。
【０１５５】
本実施形態において、第二環状ガスケット配置部２３は、円環状に形成されるため、第二環状ガスケット４も円環状に形成される。
【０１５６】
第二流路形成用ガスケット５は、図１４に示す如く、隣り合う伝熱プレート２，…の第二面Ｓ２間で、第二流体Ｂを第三方向に流通させる第二流路Ｒｂを画定するための第二流路形成用シールラインを構成する。第二流路形成用ガスケット５は、第二流路形成用ガスケット配置部２４の形態に即して形成される。
【０１５７】
具体的に説明すると、第二流路形成用ガスケット５は、それぞれが第三方向に延びて両端部が主伝熱領域Ａ１と端部領域Ａ２との境界に位置する一対のストレートシール部（以下、第二ストレートシール部という）５１であって、第二方向に間隔をあけた一対の第二ストレートシール部５１と、一対の第二ストレートシール部５１の対応する端部に繋がる一対の折返シール部（以下、第二折返シール部という）５２とを有する。
【０１５８】
第二流路形成用ガスケット５の第二折返シール部５２は、第二開口２１の外周の一部を取り囲むターンシール部（以下、第二ターンシール部という）５２０と、該第二ターンシール部５２０の両端のそれぞれから延びて対応する第二ストレートシール部５１に繋がる一対の接続シール部（以下、第二接続シール部という）５２１とを含む。
【０１５９】
第二ターンシール部５２０は、第二開口２１の外周の一部に沿うように形成される。本実施形態において、第二開口２１は、円形状にされるため、第二ターンシール部５２０は、円弧状にされる。これに伴い、第二ターンシール部５２０は、周方向に一端と該一端の反対側の他端とを有する。
【０１６０】
第二流路形成用ガスケット５における第二折返シール部５２の一対の第二接続シール部５２１のうちの一方の第二接続シール部５２１は、一方の第二ストレートシール部５１の延長線上で延びて第二ターンシール部５２０の一端に繋がる。
【０１６１】
第二流路形成用ガスケット５における第二折返シール部５２の一対の第二接続シール部５２１のうちの他方の第二接続シール部５２１は、一端と他端とを有する第一シール部５２２であって、主伝熱領域Ａ１と端部領域Ａ２との境界にある他方の第二ストレートシール部５１の端部に一端が繋がって該第二ストレートシール部５１の延長線上で延びる第一シール部５２２と、第二ターンシール部５２０の他端と第一シール部５２２の他端とに繋がる第二シール部５２３とを含む。
【０１６２】
第二シール部５２３は、横中心線ＣＬ１に対して交差する方向に延びる第一延出シール部５２３ａであって、第二ターンシール部５２０の他端に繋がる第一延出シール部５２３ａと、第一シール部５２２の他端から延出した第二延出シール部５２３ｂと、第一延出シール部５２３ａと第二延出シール部５２３ｂとに繋がる連結シール部５２３ｃとを含む。
【０１６３】
第二延出シール部５２３ｂの横中心線ＣＬ１に対する傾斜角度は、第一延出シール部５２３ａの横中心線ＣＬ１に対する傾斜角度よりも小さく設定される。本実施形態において、第二延出シール部５２３ｂは、第一開口２０の近傍に設けられる。本実施形態において、連結シール部５２３ｃは、第一開口２０の外周に沿うように円弧状に形成される。
【０１６４】
第一環状ガスケット６は、第一開口２０を取り囲む環状のシールラインを構成する。第一環状ガスケット６は、第一環状ガスケット配置部２５の形態に即して形成される。
【０１６５】
本実施形態において、第一環状ガスケット配置部２５は、円環状に形成されるため、第一環状ガスケット６も円環状に形成される。
【０１６６】
第一流路形成用ガスケット３及び第二環状ガスケット４は、図１３に示す如く、伝熱プレート２，…の同一面上（第一面Ｓ１）に配置され、第二流路形成用ガスケット５及び第一環状ガスケット６は、図１４に示す如く、伝熱プレート２，…の同一面上（第一面Ｓ１又は第二面Ｓ２）に配置される。
【０１６７】
本実施形態において、第一流路形成用ガスケット３及び第二環状ガスケット４のそれぞれは、独立している。また、第二流路形成用ガスケット５及び第一環状ガスケットのそれぞれは、独立している。
【０１６８】
伝熱プレート２，…及びガスケット３，４，５，６は、以上の通りであり、本実施形態に係るプレート式熱交換器１は、上記構成の伝熱プレート２，…が複数重ね合わされる。このとき、複数の伝熱プレート２，…は、第一方向の一方側に第一面Ｓ１を向けた伝熱プレート２，…と、第一方向の一方側に第二面Ｓ２を向けた伝熱プレート２，…が交互に配置される。
【０１６９】
本実施形態において、複数の伝熱プレート２，…は、同一形態である。これに伴い、複数の伝熱プレート２，…は、重ね合わせ方向において（第一方向において）一つおきに第二方向に延びる軸線周りで１８０度反転して配置される。
【０１７０】
そして、第一方向で隣り合う伝熱プレート２，…であって、第一面Ｓ１同士を対向させた伝熱プレート２，…間には、第一流路形成用ガスケット３及び第二環状ガスケット４が配置される。すなわち、第一流路形成用ガスケット３は、対向する伝熱プレート２，…の第一流路形成用ガスケット配置部２２間に配置され、第二環状ガスケット４は、対向する伝熱プレート２，…の第二環状ガスケット配置部２３間に配置される。
【０１７１】
また、第一方向で隣り合う伝熱プレート２，…であって、第二面Ｓ２同士を対向させた伝熱プレート２，…間には、第二流路形成用ガスケット５及び第一環状ガスケット６が配置される。すなわち、第二流路形成用ガスケット５は、対向する伝熱プレート２，…の第二流路形成用ガスケット配置部２４間に配置され、第一環状ガスケット６は、対向する伝熱プレート２，…の第一環状ガスケット配置部２５間に配置される。
【０１７２】
この状態において、第一方向に重ね合わされた複数の伝熱プレート２，…の両側に一対のエンドプレート７，７が配置され、該一対のエンドプレート７，７は、締結部材８，…を介して締結される。これにより、複数の伝熱プレート２，…は第一方向に締め付けられる。この状態において、第一方向で隣り合う伝熱プレート２のうちの一方の伝熱プレート２における第一面Ｓ１の第一支持凸部３００ａは、他方の伝熱プレート２における第一面Ｓ１の第一支持凸部３００ａに当接し、第一方向で隣り合う伝熱プレート２のうちの一方の伝熱プレート２における第二面Ｓ２の第二支持凸部３０１ａは、他方の伝熱プレート２における第二面Ｓ２の第二支持凸部３０１ａに当接する（図１８参照）。従って、第一方向で隣り合う伝熱プレート２，２は、第一流路形成用ガスケット３に取り囲まれた領域の外側、及び第二流路形成用ガスケット５に取り囲まれた領域の外側にある支持部３０ａによって互いに支持し合った状態になる。
【０１７３】
これに併せ、図１３に示す如く、第一面Ｓ１同士を対向させた伝熱プレート２，…間において、第一流路形成用ガスケット３に取り囲まれた領域が第一流体Ａを流通させる第一流路Ｒａとなる。すなわち、第二方向の流路幅が伝熱プレート２，…の端部領域Ａ２，Ａ２において第一開口２０から主伝熱領域Ａ１に向けて第二方向に拡大し且つ主伝熱領域Ａ１において最大になる第一流路Ｒａが形成される。
【０１７４】
また、第一面Ｓ１同士を対向させた伝熱プレート２，…間において、第二環状ガスケット４に取り囲まれた領域が、第一流路Ｒａと切り離された第二流入路Ｒｂ１及び第二流出路Ｒｂ２となる。
【０１７５】
また、図１４に示す如く、第二面Ｓ２同士を対向させた伝熱プレート２，…間において、第二流路形成用ガスケット５に取り囲まれた領域が第二流体Ｂを流通させる第二流路Ｒｂとなる。すなわち、第二方向の流路幅が伝熱プレート２，…の端部領域Ａ２，Ａ２において第二開口２１から主伝熱領域Ａ１に向けて第二方向に拡大し且つ主伝熱領域Ａ１において最大になる第二流路Ｒｂが形成される。
【０１７６】
また、第二面Ｓ２同士を対向させた伝熱プレート２，…間において、第一環状ガスケット６に取り囲まれた領域が、第二流路Ｒｂと切り離された第一流入路Ｒａ１及び第一流出路Ｒａ２となる。
【０１７７】
この状態で、図１５に示す如く、第一流路Ｒａを画定する領域内において、第一面Ｓ１同士を対向させた伝熱プレート２，…の第一長尺凸条２６ａにおける第一直線部２６２ａ及び第二直線部２６３ａは、第一方向から見て対向する伝熱プレート２，…（相手方）の凹条２８と重なるとともに、第一面Ｓ１同士を対向させた伝熱プレート２，…における短尺凸条２６ｂは、第一方向から見て相手方の凹条２８と重なる。すなわち、第一流路を画定する領域内において、第一長尺凸条２６ａにおける第一直線部２６２ａ及び第二直線部２６３ａは、対向する伝熱プレート２，…（相手方）の凹条２８に対して第一方向で間隔をあけて重なる。
【０１７８】
これに対し、第一流路Ｒａを画定する領域内において、図１６に示す如く、端部傾斜部２６５ａが第一方向から見て対向する伝熱プレート２，…（相手方）の端部傾斜部２６５ａと交差する。また、図１７に示す如く、接続傾斜部２６４ａが第一方向から見て対向する伝熱プレート２，…（相手方）の接続傾斜部２６４ａと交差する。
【０１７９】
本実施形態において、端部傾斜部２６５ａ同士の交差部分に逃部２６７ｂが設けられるとともに、接続傾斜部２６４ａ同士の交差部分に逃部２６８ｂが設けられているため、図１８に示す如く、第一面Ｓ１同士を対向させて隣り合う伝熱プレート２，…は、第一流路Ｒａを画定する領域内においては互いに非接触である。
【０１８０】
しかし、逃部２６７ｂ，２６８ｂは、伝熱プレート２の撓み量を考慮した高さに設定されているため、第一流路Ｒａ内において流体圧が作用していない状態、或いは第一流路Ｒａ内の流体圧が第二流路Ｒｂ内の流体圧よりも小さい場合、伝熱プレート２は、第一面Ｓ１側に押されて撓み、図１９に示す如く、第一面Ｓ１同士を対向させて隣り合う伝熱プレート２の端部傾斜部２６５ａの逃部２６７ｂ同士が当接するとともに、接続傾斜部２６４ａの逃部２６８ｂ同士が当接する。
【０１８１】
すなわち、第一流路Ｒａ内において流体圧が作用していない状態、或いは第一流路Ｒａ内の流体圧が第二流路Ｒｂ内の流体圧よりも小さい場合、第一面Ｓ１同士を対向させて隣り合う伝熱プレート２の端部傾斜部２６５ａ及び接続傾斜部２６４ａが支持し合う。
【０１８２】
図１５に戻り、第二流路Ｒｂを画定する領域内において、第二面Ｓ２同士を対向させた伝熱プレート２，…の第二長尺凸条２７における直列直線部２７０及び並列直線部２７１は、第一方向から見て対向する伝熱プレート２，…（相手方）の凹条２９と重なる。すなわち、第二流路を画定する領域内において、第二長尺凸条２７における直列直線部２７０及び並列直線部２７１は、対向する伝熱プレート２，…（相手方）の凹条２９に対して第一方向で間隔をあけて重なる。
【０１８３】
これに対し、第二流路Ｒｂを画定する領域内において、分岐部２７２（分岐傾斜部２７２ａ，２７２ａ）が第一方向から見て対向する伝熱プレート２，…（相手方）の直列直線部２７０、並列直線部２７１、又は分岐部２７２（分岐傾斜部２７２ａ，２７２ａ）と交差衝合）する。すなわち、第二面Ｓ２を対向させて隣り合う伝熱プレート２，…は、互いに支持し合っている。
【０１８４】
上記構成のプレート式熱交換器１において、図１３及び図１４に示す如く、第一流入路Ｒａ１に供給された第一流体Ａは、第一流路Ｒａを第三方向に流通した上で、第一流出路Ｒａ２から流出する。これに対し、第二流入路Ｒｂ１に供給された第二流体Ｂは、第二流路Ｒｂを第三方向に流通した上で、第二流出路Ｒｂ２から流出する。第一流路Ｒａ及び第二流路Ｒｂは、伝熱プレート２，…によって区画されるため、第一流路Ｒａを流通する第一流体Ａ及び第二流路Ｒｂを流通する第二流体Ｂは、伝熱プレート２，…を介して熱交換する。
【０１８５】
以上のように、本実施形態に係るプレート式熱交換器１において、第一面Ｓ１同士を対向させた伝熱プレート２，…間で一対の第二開口２１を躱して一対の第一開口２０を一括して包囲することで、第一流体Ａを第三方向に流通させる第一流路Ｒａを画定する無端環状の第一流路形成用ガスケット（シールライン）３であって、各端部領域Ａ２内において、第二方向の流路幅が第一開口２０から主伝熱領域Ａ１に向けて拡大するとともに、主伝熱領域Ａ１において、第二方向の流路幅が最大となる第一流路Ｒａを画定する第一流路形成用ガスケット（シールライン）３が設けられるとともに、第二面Ｓ２同士を対向させた伝熱プレート２，…間で一対の第一開口２０を躱して一対の第二開口２１を一括して包囲することで、第二流体Ｂを第三方向に流通させる第二流路Ｒｂを画定する無端環状の第二流路形成用ガスケット（シールライン）５であって、各端部領域Ａ２内において、第二方向の流路幅が第二開口２１から主伝熱領域Ａ１に向けて拡大するとともに、主伝熱領域Ａ１において、第二方向の流路幅が最大となる第二流路Ｒｂを画定する第二流路形成用ガスケット（シールライン）５が設けられる。
【０１８６】
これを前提に、第一流路形成用ガスケット（シールライン）３及び第二流路形成用ガスケット（シールライン）５は、それぞれが第三方向に延びて両端部が主伝熱領域Ａ１と端部領域Ａ２との境界に位置する一対のストレートシール部３１，５１（第一ストレートシール部３１、第二ストレートシール部５１）であって、第二方向に間隔をあけた一対のストレートシール部３１，５１（第一ストレートシール部３１，第二ストレートシール部５１）と、一対のストレートシール部３１，５１（第一ストレートシール部３１，第二ストレートシール部５１）の対応する端部に繋がる一対の折返シール部３２，５２（第一折返シール部３２、第二折返シール部５２）とを有し、第一流路形成用ガスケット（シールライン）３の折返シール部（第一折返シール部）３２は、第一開口２０の外周の一部を取り囲むターンシール部（第一ターンシール部）３２０と、該ターンシール部（第一ターンシール部）３２０の両端のそれぞれから延びて対応するストレートシール部（第一ストレートシール部）３１に繋がる一対の接続シール部（第一接続シール部）３２１とを含み、第二流路形成用ガスケット（シールライン）５の折返シール部（第二折返シール部）５２は、第二開口２１の外周の一部を取り囲むターンシール部（第二ターンシール部）５２０と、該ターンシール部（第二ターンシール部）５２０の両端のそれぞれから延びて対応するストレートシール部（第二ストレートシール部）５１に繋がる一対の接続シール部（第二接続シール部）５２１とを含み、第一流路形成用ガスケット（シールライン）３及び第二流路形成用ガスケット（シールライン）５における折返シール部３２，５２（第一折返シール部３２、第二折返シール部５２）の一対の接続シール部３２１，５２１（第一接続シール部３２１、第二接続シール部５２１）のうちの一方の接続シール部３２１，５２１（第一接続シール部３２１、第二接続シール部５２１）は、一方のストレートシール部３１，５１（第一ストレートシール部３１，第二ストレートシール部５１）の延長線上で延びてターンシール部３２０，５２０（第一ターンシール部３２０、第二ターンシール部５２０）の一端に繋がり、第一流路形成用ガスケット（シールライン）３における折返シール部（第一折返シール部）３２の一対の接続シール部（第一接続シール部）３２１のうちの他方の接続シール部（第一接続シール部）３２１は、ターンシール部（第一ターンシール部）３２０の他端と主伝熱領域Ａ１と端部領域Ａ２との境界にある他方のストレートシール部（第一ストレートシール部）３１の端部とに繋がるとともに、外方に向けて凸をなす円弧状に形成され、第二流路形成用ガスケット（シールライン）５における折返シール部（第二折返シール部）５２の一対の接続シール部（第二接続シール部）５２１のうちの他方の接続シール部（第二接続シール部）５２１は、一端と他端とを有する第一シール部５２２であって、主伝熱領域Ａ１と端部領域Ａ２との境界にある他方のストレートシール部（第二ストレートシール部）５１の端部に一端が繋がって該ストレートシール部第二接続シール部）５２１の延長線上で延びる第一シール部５２２と、ターンシール部（第二ターンシール部）５２０の他端と第一シール部５２２の他端とに繋がる第二シール部５２３とを含む。
【０１８７】
従って、第一面Ｓ１同士を対応させた伝熱プレート２，…間が第一流路形成用ガスケット（シールライン）３によって封止され、無端環状の第一流路形成用ガスケット（シールライン）３に包囲された領域が第一流路Ｒａとなる。第一流路形成用ガスケット（シールライン）３は、一対の端部領域Ａ２のそれぞれにある第一開口２０を一括して包囲しているため、第一流路Ｒａは第一開口２０のみで開放する。すなわち、第一流体Ａが一方の第一開口２０から第一流路Ｒａに流入し、該第一流路Ｒａで第三方向に流通した後に他方の第一開口２０から流出する。
【０１８８】
そして、第一流路Ｒａを画定する第一流路形成用ガスケット（シールライン）３において、一対の接続シール部（第一接続シール部）３２１のうちの一方の接続シール部（第一接続シール部）３２１が一方のストレートシール部（第一ストレートシール部）３１の延長線上で延びてターンシール部（第一ターンシール部）３２０の一端に繋がり、一対の接続シール部（第一接続シール部）３２１のうちの他方の接続シール部（第一接続シール部）３２１がターンシール部（第一ターンシール部）３２０の他端と主伝熱領域Ａ１と端部領域Ａ２との境界にある他方のストレートシール部（第一ストレートシール部）３１の端部とに繋がるとともに、外方に向けて凸をなす円弧状に形成される。
【０１８９】
これにより、端部領域Ａ２にある第一流路Ｒａの一部（主伝熱領域Ａ１に向けて拡大する領域）が第一流体Ａの主たる流通経路と対応する。すなわち、第一開口２０から主伝熱領域Ａ１に向かうにつれて拡大する流路において奥まった領域がない。従って、一方の端部領域Ａ２においては、第一流体Ａが第二方向に広がりつつ主伝熱領域Ａ１に向けて流通し、他方の端部領域Ａ２においては、主伝熱領域Ａ１から第一開口２０に向けて収束しつつ流通する。これにより、第一流路Ｒａ内で第一流体Ａが滞留することが抑制される。
【０１９０】
そして、第二面Ｓ２同士を対応させた伝熱プレート２，…間が第二流路形成用ガスケット（シールライン）５によって封止され、無端環状の第二流路形成用ガスケット（シールライン）５に包囲された領域が第二流路Ｒｂとなる。第二流路形成用ガスケット（シールライン）５は、一対の端部領域Ａ２のそれぞれにある第二開口２１を一括して包囲しているため、第二流路Ｒｂは第二開口２１のみで開放する。すなわち、第二流体Ｂが一方の第二開口２１から第二流路Ｒｂに流入し、該第二流路Ｒｂで第三方向に流通した後に他方の第二開口２１から流出する。
【０１９１】
そして、第二流路Ｒｂを画定する第二流路形成用ガスケット（シールライン）５において、折返シール部（第二折返シール部）５２の一対の接続シール部（第二接続シール部）５２１のうちの他方の接続シール部（第二接続シール部）５２１は、一端と他端とを有する第一シール部５２２であって、主伝熱領域Ａ１と端部領域Ａ２との境界にある他方のストレートシール部（第二ストレートシール部）５１の端部に一端が繋がって該ストレートシール部（第二ストレートシール部）５１の延長線上で延びる第一シール部５２２と、ターンシール部（第二ターンシール部）５２０の他端と第一シール部５２２の他端とに繋がる第二シール部５２３とを含むため、第二流路形成用ガスケット（シールライン）５の折返シール部（第二折返シール部）５２は、第一流路形成用ガスケット（シールライン）３の折返シール部（第一折返シール部）３２よりも開口（第一開口２０、第二開口２１）側で、第二流路Ｒｂにおける第二方向の流路幅が最大になる。
【０１９２】
これにより、端部領域Ａ２にある第二流路Ｒｂには奥まった領域（第二流体Ｂが滞留する領域）が形成されることになるが、端部領域Ａ２において、第一流路Ｒａと第二流路Ｒｂとの重なる領域（熱交換に寄与する領域）を多くなり、また、第一流路Ｒａに第一流体Ａの滞留する領域（奥まった領域）がないため、熱交換効率を高めることができる。
【０１９３】
本実施形態において、第一流路形成用ガスケット（シールライン）３の他方のストレートシール部（第一ストレートシール部）３１は、第一流路形成用ガスケット（シールライン）３における折返シール部（第一折返シール部）３２の他方の接続シール部（第一接続シール部）３２１に対して接線方向に延びているため、第一流路Ｒａの外縁（輪郭）が滑らかになり、第一流体Ａの流通が良好になる。
【０１９４】
特に、第二シール部５２３は、横中心線（第二方向に延びる中心線）ＣＬ１に対して交差する方向に延びる第一延出シール部５２３ａであって、ターンシール部（第二ターンシール部）５２０の他端に繋がる第一延出シール部５２３ａと、第一シール部５２２の他端から延出した第二延出シール部５２３ｂと、第一延出シール部５２３ａと第二延出シール部５２３ｂとに繋がる連結シール部５２３ｃとを含み、第二延出シール部５２３ｂの横中心線（第二方向に延びる中心線）ＣＬ１に対する傾斜角度は、第一延出シール部５２３ａの横中心線（第二方向に延びる中心線）ＣＬ１に対する傾斜角度よりも小さく設定されているため、第一流路Ｒａと第二流路Ｒｂとの重なる領域（熱交換に寄与する領域）を多くすることができる。
【０１９５】
また、第二延出シール部５２３ｂは、第一開口２０の近傍に設けられるため、第一流路Ｒａと第二流路Ｒｂとの重なる領域（熱交換に寄与する領域）が第一開口２０近傍にまで至り、端部領域Ａ２における熱交換に寄与する領域をより多くすることができる。
【０１９６】
なお、本発明は、上記実施形態に限定されるものではなく、本発明の要旨を逸脱しない範囲で適宜変更を加え得ることは勿論である。
【０１９７】
上記実施形態において、第一流路形成用ガスケット３、第二環状ガスケット４、第二流路形成用ガスケット５、及び第一環状ガスケット６がそれぞれ独立したが、これに限定されない。例えば、伝熱プレート２，…の同一面（第一面Ｓ１）上に配置される第一流路形成用ガスケット３及び第二環状ガスケット４が一体成型されてもよい。また、伝熱プレート２，…の同一面（第二面Ｓ２）上に配置される第二流路形成用ガスケット５及び第一環状ガスケット６が一体成型されてもよい。
【０１９８】
上記実施形態において、伝熱プレート２，…の第一面Ｓ１間を封止して第一面Ｓ１間に第一流路Ｒａを画定するシールライン、及び、伝熱プレート２，…の第二面Ｓ２間を封止して第二面Ｓ２間に第二流路Ｒｂを画定するシールラインとして、伝熱プレート２，２間に介装されたガスケット３，５が採用されたが、これに限定されない。例えば、伝熱プレート２，…の第一面Ｓ１間を封止して第一面Ｓ１間に第一流路Ｒａを画定するシールライン、及び、伝熱プレート２，…の第二面Ｓ２間を封止して第二面Ｓ２間に第二流路Ｒｂを画定するシールラインは、隣り合う伝熱プレート２，２同士をロウ付け等で接合することで形成されてもよい。
【０１９９】
上記実施形態において、第二折返シール部５２の他方の第二接続シール部５２１（第二シール部５２３）の第一延出シール部５２３ａ及び第二延出シール部５２３ｂが直線状に形成されたが、これに限定されない。例えば、第二折返シール部５２の他方の第二接続シール部５２１（第二シール部５２３）全体が連続する曲線状に形成されてもよい。
【０２００】
上記実施形態において、第二折返シール部５２の他方の第二接続シール部５２１の第二延出シール部５２３ｂが、横中心線ＣＬ１に対して交差する方向に延びたが、これに限定されない。例えば、第二延出シール部５２３ｂは、横中心線ＣＬ１の延びる方向（第二方向）に延びてもよい。また、第二接続シール部５２１が、第一延出シール部５２３ａと第二延出シール部５２３ｂとに繋がる連結シール部５２３ｃを有したが、これに限定されない。例えば、第一延出シール部５２３ａと第二延出シール部５２３ｂとが直接繋がってもよい。
【０２０１】
上記実施形態において、第一ターンシール部３２０が第一開口２０の外周に沿って円弧状に形成されたが、これに限定されない。例えば、第一ターンシール部３２０は、第一開口２０の外周の一部を取り囲めれば、複数の直線を繋いだ形態（多角形の外周の一部の形態）とされてもよい。この点、第二ターンシール部５２０も同様である。
【０２０２】
上記実施形態において、伝熱プレート２…の第一面Ｓ１及び第二面Ｓ２の凸条２６，２７における直線部２６２ａ，２６３ａ，２６ｂ，２７０，２７１が高部位２６０ａ，２６０ｂ，２７３ａと低部位２６１ａ，２６１ｂ，２７３ｂとを含んだがこれに限定されない。例えば、上記実施形態において、伝熱プレート２，…の第一面Ｓ１及び第二面Ｓ２の凸条２６，２７における直線部２６２ａ，２６３ａ，２６ｂ，２７０，２７１は、全長に亘って同一高さに設定されてもよい。この場合、直線部２６２ａ，２６３ａ，２６ｂ，２７０，２７１は、上記実施形態の高部位２６０ａ，２６０ｂ，２７３ａと同一又は略同一の高さに設定される。
【０２０３】
上記実施形態において、伝熱プレート２，…の第一面Ｓ１及び第二面Ｓ２の凸条２６，２７における直線部２６２ａ，２６３ａ，２６ｂ，２７０，２７１が第二方向に真っ直ぐ延びたが、これに限定されない。例えば、伝熱プレート２，…の第一面Ｓ１及び第二面Ｓ２の凸条２６，２７における直線部２６２ａ，２６３ａ，２６ｂ，２７０，２７１は、第二方向を成分に含む方向に真っ直ぐに延びてもよい。
【０２０４】
すなわち、伝熱プレート２，…の第一面Ｓ１及び第二面Ｓ２の凸条２６，２７における直線部２６２ａ，２６３ａ，２６ｂ，２７０，２７１は、横中心線ＣＬ１及び縦中心線ＣＬ２に対して傾斜する方向に真っ直ぐに延びてもよい。但し、この場合、直線部２６２ａ，２６３ａ，２６ｂに繋がる傾斜部２６４ａ，２６５ａ（接続傾斜部２６４ａ，端部傾斜部２６５ａ）が、縦中心線ＣＬ２に対して傾斜する方向に延びるようにすることは勿論である。すなわち、第一方向から見て傾斜部２６４ａ，２６５ａが対向する伝熱プレート２の傾斜部２６４ａと交差した配置になることが前提である。
【０２０５】
また、上記実施形態において、第一面Ｓ１及び第二面Ｓ２の凸条２６，２７が直線部２６２ａ，２６３ａ，２６ｂ，２７０，２７１と、傾斜部２６４ａ，２６５ａ，２７２ａとを含んだが、これに限定されない。例えば、第一面Ｓ１及び第二面Ｓ２の凸条２６，２７全体が、第二方向と交差する方向で真っ直ぐに延び、隣り合う伝熱プレート２，２の凸条２６，２７同士が第一方向から見て交差した配置になるようにしてもよい。
【０２０６】
上記実施形態において、第一面Ｓ１の凸条２６の傾斜部２６４ａ，２６５ａに逃部２６７ｂ，２６８ｂが設けられたが、これに限定されない。第一面Ｓ１の凸条２６の傾斜部２６４ａ，２６５ａが全長に亘って同一高さに設定されてもよい。この場合、傾斜部２６４ａ，２６５ａは、上記実施形態における高部位２６７ａ，２６８ａ（端部高部位２６７ａ、接続高部位２６８ａ）の高さ（標準高さ）にされる。
【０２０７】
上記実施形態において、第二流路Ｒｂを画定する伝熱プレート２の第二面Ｓ２の凸条２７が対向する伝熱プレート２の第二面Ｓ２の凸条２７と接触（当接）していたが、これに限定されない。例えば、伝熱プレート２の第二面Ｓ２の凸条（第二長尺凸条）２７の分岐部２７２（分岐傾斜部２７２ａ）に対して、対向する伝熱プレート２の第二面Ｓ２の凸条（第二長尺凸条）２７の分岐部２７２（分岐傾斜部２７２ａ）が交差する場合、第一面Ｓ１側と同様に、分岐部２７２（分岐傾斜部２７２ａ）の交差部分に逃部を設けるようにしてもよい。
【０２０８】
また、伝熱プレート２の第二面Ｓ２の凸条（第二長尺凸条）２７の端部に傾斜部を設け、対向する伝熱プレート２の第二面Ｓ２の凸条（第二長尺凸条）２７の傾斜部同士を交差させるとともに、傾斜部の交差部分に逃部を設けてもよい。
【０２０９】
この場合においても、支持部３０ａ，３０ｂに近い傾斜部の逃部と高部位との第一方向における高低差よりも、支持部３０ａ，３０ｂから遠い傾斜部（分岐傾斜部）２７２ａの逃部と高部位との第一方向における高低差の方が大きく設定されることが好ましいことは勿論である。
【０２１０】
上記実施形態において、伝熱プレート２，…の凸条２６（第一長尺凸条２６ａ）が、逃部２６７ｂ，２６８ｂを有する複数の傾斜部２６４ａ，２６５ａを有し、第二方向の複数箇所において、隣り合う伝熱プレート２，…の第一面Ｓ１の傾斜部２６４ａ，２６５ａ同士が交差するようにしたが、これに限定されない。例えば、伝熱プレート２の第一面Ｓ１の各凸条（第一長尺凸条２６ａ）が、第二方向に並ぶ二つの直線部２６２ａ，２６３ａに繋がる単一の傾斜部２６４ａを備え、隣り合う伝熱プレート２における第二方向の中間位置（例えば、縦中心線ＣＬ２上）で傾斜部２６４ａが交差した態様になるようにしてもよい。
【０２１１】
この場合、第二流路Ｒｂの流体圧が第一流路Ｒａの流体圧よりも高くなった場合、伝熱プレート２が第二方向の両端（支持部３０ａ，３０ｂ）を支点に撓むが、伝熱プレート２の中間位置にある傾斜部２６４ａの逃部２６８ｂ同士が接触（当接）し、互いに支持し合った状態になる。
【０２１２】
上記実施形態において、伝熱プレート２，…の第一面Ｓ１の凸条（第一長尺凸条２６ａ）が複数の直線部２６２ａ，２６３ａを有し、一つおきに直線部２６２ａ，２６３ａが第二方向で隣り合う直線部２６２ａ，２６３ａに対して第三方向の何れか一方側に位置ずれして配置されたが、これに限定されない。例えば、伝熱プレート２，…の第一面Ｓ１の凸条（第一長尺凸条２６ａ）の複数の直線部２６２ａ，２６３ａは、第二方向における一方側の直線部２６２ａ，２６３ａが第二方向における他方側の直線部２６２ａ，２６３ａに対して、第三方向の一方側に位置ずれして配置されてもよい。
【０２１３】
このようにすれば、複数の直線部２６２ａ，２６３ａが傾斜部２６４ａを介して繋がり、第一方向から見て階段状に配置されるが、隣り合う伝熱プレート２の凸条２６（第一長尺凸条２６ａ）の直線部２６２ａ，２６３ａと凹条２８とが対向した状態になるため、上記実施形態と同様に第一流体Ａを第三方向に流通させる第一流路Ｒａが形成される。この場合においても、傾斜部２６４ａは、隣り合う伝熱プレート２の傾斜部２６４ａと交差した態様で配置されることは勿論である。
【符号の説明】
【０２１４】
１…プレート式熱交換器、２…伝熱プレート、３…第一流路形成用ガスケット（ガスケット：第一流路形成用シールライン）、４…第二環状ガスケット（ガスケット：シールライン）、５…第二流路形成用ガスケット（ガスケット：第二流路形成用シールライン）、６…第一環状ガスケット（ガスケット：シールライン）、７…エンドプレート、８…締結部材、２０…第一開口、２１…第二開口、２２…第一流路形成用ガスケット配置部（ガスケット配置部）、２３…第二環状ガスケット配置部（ガスケット配置部）、２４…第二流路形成用ガスケット配置部（ガスケット配置部）、２５…第一環状ガスケット配置部（ガスケット配置部）、２６…凸条、２６ａ…第一長尺凸条（凸条）、２６ｂ…短尺凸条（直線部：凸条）、２７…第二長尺凸条（凸条）、２８，２９…凹条、３０ａ…第一支持部（支持部）、３０ｂ…第二支持部（支持部）、３１，…第一ストレートシール部（ストレートシール部）、３２…第一折返シール部（折返シール部）、５１…第二ストレートシール部（ストレートシール部）、５２…第二折返シール部（折返シール部）、２２０…第一ストレート部（ストレート部）、２２１…第一折返部（折返部）、２２１ａ…第一ターン部（ターン部）、２２１ｂ…第一接続部（接続部）、２４０…第二ストレート部（ストレート部）、２４１…第二折返部（折返部）、２４１ａ…第二ターン部（ターン部）、２４１ｂ…第二接続部（接続部）、２４２…第一部、２４３…第二部、２４３ａ…第一延出部、２４３ｂ…第二延出部、２４３ｃ…連結部、２６０ａ，２６０ｂ…高部位、２６１ａ，２６１ｂ…低部位、２６２ａ…第一直線部（直線部）、２６３ａ…第二直線部（直線部）、２６４ａ，…接続傾斜部（傾斜部）、２６５ａ…端部傾斜部（傾斜部）、２６７ａ…端部高部位（高部位）、２６７ｂ…逃部、２６８ａ…接続高部位（高部位）、２６８ｂ…逃部、２７０…直列直線部（直線部）、２７１…並列直線部（直線部）、２７２…分岐部、２７２ａ…分岐傾斜部（傾斜部）、２７３ａ…高部位、２７３ｂ…低部位、３００ａ…第一支持凸部（支持凸部）、３００ｂ…第一凹部（凹部）、３０１ａ…第二支持凸部（支持凸部）、３０１ｂ…第二凹部（凹部）、３２０…第一ターンシール部（ターンシール部）、３２１…第一接続シール部（接続シール部）、５２０…第二ターンシール部（ターンシール部）、５２１…第二接続シール部（接続シール部）、５２２…第一シール部、５２３…第二シール部、５２３ａ…第一延出シール部、５２３ｂ…第二延出シール部、５２３ｃ…連結シール部、Ａ１…主伝熱領域、Ａ２…端部領域、Ａ…第一流体、Ｂ…第二流体、ＣＬ１…横中心線、ＣＬ２…縦中心線、ｄ…高低差、ｄ１…高低差、ｄ２…高低差、Ｒａ…第一流路、Ｒａ１…第一流入路、Ｒａ２…第一流出路、Ｒｂ…第二流路、Ｒｂ１…第二流入路、Ｒｂ２…第二流出路、Ｓ１…第一面、Ｓ２…第二面、ＳＥ…短辺、ＬＥ…長辺
【図１】
2017211157.tif 000003
【図２】
2017211157.tif 000004
【図３】
2017211157.tif 000005
【図４】
2017211157.tif 000006
【図５】
2017211157.tif 000007
【図６】
2017211157.tif 000008
【図７】
2017211157.tif 000009
【図８】
2017211157.tif 000010
【図９】
2017211157.tif 000011
【図１０】
2017211157.tif 000012
【図１１】
2017211157.tif 000013
【図１２】
2017211157.tif 000014
【図１３】
2017211157.tif 000015
【図１４】
2017211157.tif 000016
【図１５】
2017211157.tif 000017
【図１６】
2017211157.tif 000018
【図１７】
2017211157.tif 000019
【図１８】
2017211157.tif 000020
【図１９】
2017211157.tif 000021